(57)【要約】      （修正有）【課題】管径が２０ｍｍ程度以下の細径の配管を、接続する際、コンパクトな構造であるにも拘らず配管と相手部品との接続を簡略な操作によって、かつ高い気密性を維持しながら安定的に実施し得る細径配管接続用コネクタを提供する。【解決手段】相手部品に螺合して組込むために雄ネジが形成されたコネクタ本体円筒部の外周面を、等分に切欠いて切欠き窓部と弾性爪壁を並行して形成せしめることによってコネクタ本体の短尺化を図り、コネクタ本体の先端円筒部の内周面に予め内装したシールリングおよびバックアップスリーブを、前記弾性爪壁の先端に形成された係合壁によって、相手部品に形成された係合壁に係圧することによって流路の気密を維持し、コネクタ本体後方に被着される内装部材兼用防塵キャップによって、後方開放部を閉塞して系内への塵埃の浸入を阻止すると同時に、配管のコネクタ本体への挿入角度が、その中心に向かうようにガイドする。【選択図】図１
2007100809.tif 000002
【特許請求の範囲】
【請求項１】
軸芯の前方相手部品側に細径配管に外嵌されるシールリングおよびバックアップリングを内装する先端円筒部内周面と、該内周面に連なる後方円筒部を等分に少なくとも複数に切り欠いた切欠き窓部と、該切欠き窓部の切欠き残部がそれぞれ弾性爪壁をなし、その先端係合壁を軸心方向に閉じるようにして内方に付勢され、更にその後方に連なって後方内径部が形成され、外周部のやや後方に対応する相手部品に当接する円筒状のフランジ部、該フランジ部に連なる前方の前記切欠き窓部並びに弾性爪壁が形成された円筒部の、前記先端円筒部を含む外周には、相手部品の雌ネジに螺合するための雄ネジが形成され、前記円筒状のフランジ部の外周には防塵キャップのフックに繋合するための凹部が形成され、該フランジ部後方に連なる外周部には着脱用工具に繋合可能な形状とした外側係合壁を有するコネクタ本体と、該コネクタ本体の前記先端円筒部内周面に予め内装されるシールリングと、該シールリングに接してその後方の内周部に予め内装される略円筒体であって、前方円筒部に連なる後方大径部に、前記コネクタ本体の弾性爪壁の収納スペースとなる切り欠き部が一体として形成されたバックアップリングと、前記コネクタ本体フランジ部外周に設けられた凹部に、先端内周面において軸心方向に凸部を有するフックを繋合し、コネクタ本体後方開放部を覆うようにして組込まれる内装部材兼用防塵キャップと、端末に形成されたスプール部前方の小径部に、前記シールリングおよびバックアップリングとを連ねるようにして外嵌すると共に、該スプール部の前壁部で該バックアップリングの前側テーパー壁を押圧し、相手部品の第２係合壁に前記シールリング共々係圧することによって、流路の気密を保持するようにして組込まれる細径配管とによって構成されることを特徴とする細径配管接続用コネクタ。
【請求項２】
前記コネクタ本体円筒部に形成される切欠き窓が、フランジ部前方における先端円筒部を除いた円筒部を、等分に四つに分割して切り欠くことによって形成され、該切欠き窓の切欠き残部がそれぞれ先端に係合壁が設けられ、該係合壁を軸心方向に閉じるように付勢することにより、四つの弾性爪壁が形成されることを特徴とする請求項１に記載の細径配管接続用コネクタ。
【請求項３】
前記コネクタ本体の円筒状フランジ部の後方外周に形成される外側係合壁が、スパナ等の着脱用工具に繋合可能な六角のナット状に形成されることを特徴とする請求項１または２に記載の細径配管接続用コネクタ。
【請求項４】
前記略円筒状のバックアップリングが、コネクタ本体先端円筒部内周面に予め内装され、細径配管端末におけるスプール部前方の小径部外周面に外嵌される前方円筒部と、該前方円筒部後方に連なる大径部に切欠き部が設けられ、該切欠き部が前記コネクタ本体に形成される弾性爪壁を嵌合して収納するスペースを形成し、該切欠き残部のそれぞれには、後端部から順次に後側テーパー壁、内壁部、前側テーパー壁が形成され、各々が配管挿入時のガイド若しくは受圧部となることを特徴とする請求項１乃至３のいずれか１項に記載の細径配管接続用コネクタ。
【請求項５】
前記内装部材兼用防塵キャップが、軸心側に配管挿入時のガイド壁を有する内筒部と、その外周面に形成された外壁部とそれに連なる後壁部からなり、該外壁部の先端は前記コネクタ本体フランジ部に準じて円筒状に形成され、該円筒状外壁部の一端に着脱用の把持部が設けられ、その先端内周面に前記コネクタ本体のフランジ部に設けられた凹部に繋合するフックが形成され、該円筒状外壁部に連なる後方の外壁部が、コネクタ本体外周係合壁に準じた形状に形成され、それに連なる後壁部の前記内筒部への入口部分に軸心方向へ傾斜するテーパー壁が形成され、該テーパー壁を除いた前記内筒部入口に相当する部分が薄肉部からなり、該薄肉部の軸芯から放射状に複数のスリットが形成されてなることを特徴とする請求項１乃至４のいずれか１項に記載の細径配管接続用コネクタ。
【請求項６】
前記細径配管後方に略円筒状のリリーサーが巻着され、該リリーサーが、軸芯に前記細径配管を摺動自在に嵌挿するガイド部が貫設され、一端にフランジ部、それに連なる他端が円筒部からなることを特徴とする請求項１乃至５のいずれか１項に記載の細径配管接続用コネクタ。
【請求項７】
前記コネクタ本体の先端円筒部の内周面に予め内装されるシールリングおよび略円筒状のバックアップリング、該コネクタ本体の後方開放部を覆う内装部材兼用防塵キャップ並びに細径配管後方外周部に摺動自在に嵌挿されるリリーサーが、それぞれ各種ゴムまたはＰＡ、ＰＯＭ、フッ素系樹脂等の合成樹脂から選択される素材によって成形されることを特徴とする請求項１乃至６のいずれか１項に記載の細径配管接続用コネクタ。
【請求項８】
前記略円筒状のバックアップリングが、金属製素材によって形成されることを特徴とする請求項１乃至７のいずれか１項に記載の細径配管接続用コネクタ。
【請求項９】
前記請求項１乃至８のいずれか１項に記載の細径配管接続用コネクタにおいて、コネクタ本体の先端円筒部が、前記コネクタ本体の先端円筒部に比較して約２倍の長さに形成され、該長尺の先端円筒部内周面に予め複数のシールリングと、それに連なる後方に前記略円筒状のバックアップリングが内装され、該複数のシールリングの間に円盤状のバックアップリングが内装されることを特徴とする細径配管接続用コネクタ。
【請求項１０】
前記コネクタ本体の先端円筒部内周面に内装されるシールリングが２本であり、該シールリング間に円盤状のバックアップリングが内装されることを特徴とする請求項９に記載の細径配管接続用コネクタ。
【請求項１１】
前記請求項１乃至８のいずれか１項に記載の細径配管接続用コネクタにおいて、コネクタ本体後方開放部を覆って被着される前記内装部材兼用防塵キャップの後方から、該防塵キャップ内筒部の薄肉部に形成されたスリットを破断して挿入され、その端末の小径部外周に前記シールリングおよび略円筒状のバックアップリングを巻着し、相手部品の第２係合壁に係圧して接続される細径配管が、端末に設けられた前記スプール部の後方に後側スプール部が形成され、更にその後方に複数のバルジ部が形成され、後端バルジ部の後方に軸心方向への凹部が設けられ、該凹部にシールリングを嵌合し、かつ前記後側スプール部後壁部の後方の前記バルジ部を含む外周部に、弾性チューブを外嵌してなることを特徴とする細径配管接続用コネクタ。
【請求項１２】
前記細径配管の後側スプール部後壁部の後方に形成されるバルジ部が２山であり、該バルジ部後方に形成された凹部に嵌合されるシールリングが細径の弾性部材からなり、前記後側スプール部後壁部の後方の前記バルジ部を含む外周部に外嵌される弾性チューブが、各種樹脂チューブ若しくはゴムホース等によって形成されることを特徴とする請求項１１に記載の細径配管接続用コネクタ。
【請求項１３】
前記請求項１乃至１２のいずれか１項に記載の細径配管接続用コネクタにおいて、コネクタ本体後方開放部を覆って被着される内装部材兼用防塵キャップが、フランジ部を含むコネクタ本体後方外周面に被着される内周部と、その外周面に形成された外壁部とそれに連なる後壁部からなり、該外壁部の先端は前記コネクタ本体フランジ部に準じて円筒状に形成され、該円筒状外壁部の一端に着脱用の把持部が設けられ、その先端内周面に前記コネクタ本体のフランジ部に設けられた凹部に繋合するフックが形成され、該円筒状外壁部に連なる後方の外壁部が、コネクタ本体外周係合壁に準じた形状に形成され、その後端の後壁部には軸心方向へ傾斜する肉厚のテーパー壁が形成され、該テーパー壁を除いた配管挿入口に相当する部分が薄肉部からなり、該薄肉部の軸芯から放射状に複数の浅く刻まれたスリットが形成され、それに連なる前記肉厚のテーパー壁には深く刻まれたスリットが形成され、配管挿入時には配管先端部がコネクタ本体中心部に挿入されるようガイドすることを特徴とする細径配管接続用コネクタ。
【請求項１４】
軸心内部に、先端の連結筒壁の流通孔に連なって小径室とその後方に大径室とが貫設されるコネクタ本体の、該小径室にはシールリング並びにバックアップリングを内装せしめ、前記大径室周壁のなす対向部位に設けられた係合孔部分或いは切欠き窓部分に、それぞれの先端を係止壁となして内方へ付勢された弾性爪壁を有するソケット体が、前記コネクタ本体と別体若しくは一体に設けられたコネクタ本体と、該コネクタ本体の軸心内部に嵌挿される細径配管であって、その端末に形成されたスプール部を、前記コネクタ本体の弾性爪壁の係止壁によって係圧せしめられて接続される細径配管と、コネクタ本体後方開放部を覆って被着される防塵キャップとからなる細径配管接続用コネクタにおいて、前記防塵キャップが、前記係合孔部分或いは切欠き窓部分を含むコネクタ本体後方外周面に被着される薄肉の前方円筒状外壁部と、その後方に連なる肉厚の後方円筒状外壁部と、その後端に連なる後壁部とからなり、前記前方円筒状外壁部の先端には、コネクタ本体外周の円筒部に設けられた段部に繋合するフックが形成され、一方、後方円筒状外壁部後端の前記後壁部には軸心方向へ傾斜する肉厚のテーパー壁が形成され、該テーパー壁を除いた配管挿入口に相当する部分が薄肉部からなり、該薄肉部の軸芯から放射状に複数の浅く刻まれたスリットが形成され、それに連なる前記肉厚のテーパー壁には深く刻まれたスリットが形成され、配管挿入時には配管先端部がコネクタ本体中心部に挿入されるようガイドすることを特徴とする細径配管接続用コネクタ。
【請求項１５】
前記コネクタ本体の小径室に内装されるシールリングが２本であり、該シールリング間に円盤状のバックアップリングと、その後方に略円筒状のバックアップリングが内装されることを特徴とする請求項１４に記載の細径配管接続用コネクタ。
【請求項１６】
前記コネクタ本体の小径室に予め内装されるシールリング、円盤状並びに略円筒状のバックアップリングおよび該コネクタ本体の後方開放部を覆う防塵キャップが、それぞれ各種ゴムまたはＰＡ、ＰＯＭ、フッ素系樹脂等の合成樹脂から選択される素材によって成形されることを特徴とする請求項１４または１５に記載の細径配管接続用コネクタ。
【請求項１７】
軸芯の前方相手部品側に、細径配管に外嵌されるシールリングおよびバックアップリングを内装する先端円筒部内周面と、該内周面に連なる後方円筒部には小径室と、更にその後方に連なって大径室とがそれぞれ貫設され、外周部のほぼ中心部に対応する相手部品に当接する円筒状のフランジ部、該フランジ部に連なる前方の前記先端円筒部の外周には、相手部品の雌ネジに螺合するための雄ネジが形成され、前記円筒状のフランジ部の後方に連なる外周部には、着脱用工具に繋合可能な形状とした外側係合壁が形成されたコネクタ本体と、該コネクタ本体の前記先端円筒部内周面に予め内装されるシールリングと、該シールリングに接してその後方の内周部に予め内装される略円筒状のバックアップリングと、前記コネクタ本体の大径部にその円筒部を嵌挿し、該円筒部に連なる前方の先端部に亘って縮径された円錐形状の爪部を、該コネクタ本体の小径室側に位置せしめ、コネクタ本体後方開放部を閉塞するようにして内装されるリテーナと、端末に形成されたスプール部前方において、段部によって隔てられる小径部の外周面に、前記シールリングおよびバックアップリングとを連ねるようにして外嵌すると共に、該段部によって該バックアップリングの前側テーパー壁を押圧し、相手部品の第２係合壁に前記シールリング共々係圧することによって、流路の気密を保持するようにして組込まれる細径配管とによって構成されることを特徴とする細径配管接続用コネクタ。
【請求項１８】
前記コネクタ本体の円筒状フランジ部の後方外周に形成される外側係合壁が、スパナ等の着脱用工具に繋合可能な六角のナット状に形成されることを特徴とする請求項１７に記載の細径配管接続用コネクタ。
【請求項１９】
前記コネクタ本体の後方開放部を閉塞するようにして内装されるリテーナが、該コネクタ本体の大径室に嵌挿される円筒部と、該円筒部に連なる前方が先端部に亘って縮径された円錐形状の爪部と、該爪部の先端には細径配管接続後、該配管スプール部の後壁部を係圧して配管の接続状態を維持する係合壁と、該係合壁に連なって前記配管と同径の薄肉部が形成され、該薄肉部の軸心から放射状に複数のスリットが設けられ、該スリットに連なるようにして前記円錐形状の爪部には切込み溝部が設けられ、該爪部内周面のテーパー壁が前記配管挿入時のガイド部となることを特徴とする請求項１７または１８に記載の細径配管接続用コネクタ。
【請求項２０】
前記リテーナが各種ゴムまたはＰＡ、ＰＯＭ、フッ素系樹脂等の合成樹脂から選択される素材によって形成されるか、該リテーナの円錐形状の爪部における前記切欠き溝部を除く素材部分が、その内・外側表面を金属製薄板でカバーするか、該素材部分の肉厚中間部に金属製薄板をモールドすることによって補強されるか、若しくは前記円錐形状の爪部における該切欠き溝部に、金属製ワイヤーを埋設することによって補強することを特徴とする請求項１７乃至１９のいずれか１項に記載の細径配管接続用コネクタ。
【請求項２１】
前記リテーナの円筒部をコネクタ本体大径室に嵌挿した後、該コネクタ本体後壁部の所定部位にカシメによる変形加工を施し、固定することにより内装されることを特徴とする請求項１７乃至２０のいずれか１項に記載の細径配管接続用コネクタ。
【請求項２２】
前記リテーナの円筒部をコネクタ本体大径室に嵌挿し、同時に該コネクタ本体後壁部に形成された凸部に、該リテーナの後壁部を嵌合せしめることにより、内装することを特徴とする請求項１７乃至２１のいずれか１項に記載の細径配管接続用コネクタ。
【請求項２３】
前記コネクタ本体の後方開放部から嵌挿され、相手部品に接続される前記細径配管が、端末にテーパー形状の前壁部と、ほぼ垂直の後壁部とを有するスプールが形成され、該スプール部前方の所定部位に段部が設けられ、該段部によって隔てられる前方の端末部分が、小径部となることを特徴とする請求項１７乃至２２のいずれか１項に記載の細径配管接続用コネクタ。
【請求項２４】
前記細径配管が、コネクタ本体の後方開放部を閉塞するようにして内装された前記リテーナの、爪部内周面に形成されたテーパー壁をガイドとし、かつ該配管の先端部で該リテーナの薄肉部に形成されたスリットを破断して挿入され、前記コネクタ本体円筒部内周面に予め内装されたバックアップリングおよびシールリングを、該配管小径部に巻着すると共に該配管スプール部で前記リテーナの爪部を拡径しながら更に挿入することにより、前記シールリング並びにバックアップリングが相手部品の第２係合壁に係圧され、同時に該配管スプール部の後壁部が該リテーナの縮径された爪部先端の係合壁に係圧され、該配管の接続状態が維持されることを特徴とする請求項１７乃至２３のいずれか１項に記載の細径配管接続用コネクタ。
【請求項２５】
前記コネクタ本体の円筒部内周面に予め内装される略円筒状の前記バックアップリングが、細径配管端末におけるスプール部前方の小径部外周に外嵌される内径部と、該内径部の後方において前記細径配管の小径部後端の段部に係合する前側テーパー壁と、それに連なる後端に配管挿入時のガイド面となる後側テーパー壁が形成されることを特徴とする請求項１７乃至２４のいずれか１項に記載の細径配管接続用コネクタ。
【請求項２６】
前記細径配管後方に略円筒状のリリーサーが巻着され、該リリーサーが、軸芯に前記細径配管を摺動自在に嵌挿するガイド部が貫設され、一端にフランジ部、それに連なる他端が円筒部からなることを特徴とする請求項１７乃至２５のいずれか１項に記載の細径配管接続用コネクタ。
【請求項２７】
前記略円筒形状のバックアップリング、シールリングおよび略円筒状のリリーサーが、各種ゴムまたはＰＡ、ＰＯＭ、フッ素系樹脂等の合成樹脂から選択される素材によって形成されることを特徴とする請求項１７乃至２６のいずれか１項に記載の細径配管接続用コネクタ。
【請求項２８】
前記請求項１７乃至２７のいずれか１項に記載の細径配管接続用コネクタにおいて、コネクタ本体後方開放部から嵌挿され、相手部品に接続される細径配管が、その端末にテーパー状の前壁部と後方にほぼ垂直の後壁部とを有する拡管部が、一体として形成されることを特徴とする細径配管接続用コネクタ。
【請求項２９】
前記細径配管が、コネクタ本体の後方開放部を閉塞するようにして内装された前記リテーナの、爪部内周面に形成されたテーパー壁をガイドとし、かつ該配管の先端部で該リテーナの薄肉部に形成されたスリットを破断して挿入され、前記コネクタ本体円筒部内周面に予め内装されたバックアップリングおよびシールリングを、該配管拡管部前方の外周部に巻着すると共に、該配管拡管部で前記リテーナの爪部を拡径しながら更に挿入することにより、前記シールリング並びにバックアップリングが相手部品の第２係合壁に係圧され、同時に該配管拡管部の後壁部が該リテーナの縮径された爪部先端の係合壁に係圧され、該配管の接続状態が維持されることを特徴とする請求項２８に記載の細径配管接続用コネクタ。
【請求項３０】
前記コネクタ本体の円筒部内周面に予め内装されるシールリングが２本であり、該シールリング間に円盤状のバックアップリングと、その後方に略円筒状のバックアップリングが内装されることを特徴とする請求項２８または２９に記載の細径配管接続用コネクタ。
【請求項３１】
前記コネクタ本体の円筒部内周面に予め内装される前記略円筒状のバックアップリングが、前記細径配管端末における拡管部前方の配管外周に外嵌される内径部と、該内径部の後端に前記細径配管の拡管部前方に設けられるテーパー状の前壁部の受圧面となると共に、配管挿入時のガイド面となる後側テーパー壁が形成されることを特徴とする請求項２８乃至３０のいずれか１項に記載の細径配管接続用コネクタ。
【請求項３２】
前記細径配管後方に略円筒状のリリーサーが巻着され、該リリーサーが、軸芯に前記細径配管を摺動自在に嵌挿するガイド部が貫設され、一端にフランジ部、それに連なる他端が円筒部からなることを特徴とする請求項２８乃至３１のいずれか１項に記載の細径配管接続用コネクタ。
【請求項３３】
前記略円筒形状のバックアップリング、シールリングおよび略円筒状のリリーサーが、各種ゴムまたはＰＡ、ＰＯＭ、フッ素系樹脂等の合成樹脂から選択される素材によって形成されることを特徴とする請求項２８乃至３２のいずれか１項に記載の細径配管接続用コネクタ。
【発明の詳細な説明】
【技術分野】
【０００１】
本発明は、一般に自動車或いは各種の機械、装置等に給油、給気等の供給路として配設される管径が凡そ２０ｍｍ程度以下の、比較的細径で薄肉の金属管ないしは樹脂チューブ（以下単に「配管」ということがある。）の接続用コネクタに係り、詳しくは配管と相手部品との接続に際し、簡略な操作で且つ低コストでコネクタ本体と相手部品の流路の気密を確保し、しかもコネクタ系内の清浄な環境を安定的に維持し得る細径配管接続用コネクタ（以下単に「コネクタ」ということがある。）に関する。
【０００２】
この種の細径配管接続用コネクタは、樹脂製チューブや相手部品と配管との間に介在して、流路の気密と適正な接続状態を確保するために機能するもので、すでに多種多様なものが汎用されている。とりわけ最近になって、コストの低減と機能の充実とを合せて要求されるところから、構造上コンパクトで且つ簡略な操作によって所期の目的を達成し得る細径配管接続用コネクタとして、数多くの提案がなされている。
【０００３】
例えば図３２に示す細径配管接続用コネクタにおいては、軸芯に配管Ｐｘを嵌挿する孔が貫設され、一端にフランジ部１００−１、それに連なる他端が円筒部１００−２からなるコネクタ本体１００であって、該フランジ部１００−１近傍の円筒部１００−２に形成された雄ネジ１００−３を、相手部品４００の雌ネジ４００−１に螺合することにより、一体として組み付けられる所謂耐圧式のコネクタを形成するが、該コネクタ本体１００の円筒部１００−２における前記雄ネジ１００−３の形成部分を除く前方の円筒部１００−２を、４等分に切り欠くことによって切欠き窓１００−５が形成され、該切欠き部窓１００−５の切欠き残部が、それぞれ舌状の弾性爪壁１００−６をなして内方に付勢され、該弾性爪壁１００−６の半円弧状に形成され先端爪先１００−７の内周面には溝部１００−８が設けられ、該溝部１００−８は配管接続前にはリング状シールリング部材２０を収納するスペースとして用いられ、配管接続後は該配管Ｐｘに設けられた後方スプール部Ｐｘ−２に係合して配管Ｐｘの接続状態を維持する構造となっている。また、前記フランジ部１００−１には相手部品４００に組み込む際に、スパナ等の汎用の着脱用工具との繋合を可能とするために六角のナット状に形成され、該ナット状フランジ部１００−１の外周部のほぼ全周に亘りノッジ（切り込み）１００−９が施され、該ノッジ１００−９はコネクタ本体１００を相手部品に螺合して組み込む際に、その弾発力でスプリングワッシャの代用としてゆるみ止めとして機能し、相手部品４００に対するコネクタ本体１００の強固な組付けに寄与する。配管Ｐｘの接続に際しては、細径配管Ｐｘの端末先端をコネクタ本体１００の後方内径部１００−４から挿入し、該配管Ｐｘの先方スプール部Ｐｘ−１によって軸心側に閉じた弾性爪壁１００−６を外方に開きつつさらに押し込み、該弾性爪壁１００−６の先端溝部１００−８に収納されていたシールリング２０を、該配管Ｐｘの先方スプール部Ｐｘ−１前方の外周部に巻着して、相手部品４００の係合壁４００−２と先方スプールＰｘ−１間に係圧せしめて流路４００−３の気密を保持せしめ、一方、弾性爪壁１００−６の爪先１００−７は軸心方向に閉じると共に、円弧状の溝部１００−８を該配管Ｐｘの後方スプール部Ｐｘ−２に覆うようにして係合することによって、配管Ｐｘの接続状態が安定的に維持されるよう構成されている（例えば、特許文献１参照）。
【０００４】
また図３３に示すコネクタにおいては、軸芯に細径配管Ｐｙを嵌挿する内径部が貫設され、一端に対応する相手部品４００ａに当接するフランジ部２００−１、それに連なる他端が円筒部２００−２からなるコネクタ本体２００であって、該円筒部２００−２の該フランジ部２００−１近傍から先端円筒部２００−９の外周面には、相手部品４００ａの雌ネジ４００ａ−３に螺合するための雄ネジ２００−３が形成され、該先端円筒部２００−９を除いた雄ネジ２００−３を含む円筒部２００−２の外周部分を、等分に少なくとも２以上に切欠くことによって切欠き窓２００−５が形成され、該切欠き窓２００−５の切欠き残部が、それぞれ舌状の弾性爪壁２００−６をなして内方に付勢され、該弾性爪壁２００−６の先端爪先部分の内周面には、シールリング２０ａを内装する半円弧状の溝部２００−７と、それに連なって係合壁２００−８とが設けられ、前記フランジ部２００−１の外周面は着脱用工具に繋合可能なナット状に形成されている。前記弾性爪壁２００−６の先端爪先部分の内周面に形成された溝部２００−７に、シールリング２０ａ内装した状態で相手部品４００ａに螺合した後、コネクタ本体２００の後方内径部２００−４側から細径配管Ｐｙを挿入することによって、コネクタ本体２００を介しての該配管Ｐｙと相手部品４００ａとの接続が完了するが、この際用いられる細径配管は、図３４に示すように端末に形成されたスプール部Ｐｙ−１の前方の小径部Ｐｙ−２に、その後端部を該スプール部Ｐｙ−１の前壁部Ｐｙ−１（ａ）に当接した状態で略円筒状のバックアップリングを一体として外嵌し、かつ該配管Ｐｙのスプール部Ｐｙ−１の後方外周面には摺動自在のリリーサーが組込まれている。コネクタ本体２００の後方内径部２００−４から挿入された細径配管Ｐｙは、スプール部Ｐｙ−１前方に巻着されたバックアップリング３０の先端を、弾性爪壁２００−６の裏側の内壁部２００−１１を押圧して外側に押し広げ、同時に前記シールリング２０ａが、該弾性爪壁２００−６先端爪先部分の溝部２００−７から離脱してバックアップリング３０前面の配管Ｐｙに巻着し、相手部品４００ａの第２係合壁に該バックアップリング３０共々係圧して流路４００ａ−２の気密を保持し、一方、該弾性爪壁２００−６は前記スプール部Ｐｙ−１を覆うようにして再び軸心方向に閉じ、該溝部２００−７に連なる係合壁２００−８が、該スプール部Ｐｙ−１の後壁部Ｐｙ−１（ｂ）を係圧して、配管Ｐｙとコネクタ本体２００との接続状態を安定的に維持するよう構成されている（例えば、特許文献２参照）。
【０００５】
さらに図３５に示すコネクタにおいては、コネクタ本体２００の後方開放部を閉塞して、系内への塵埃の浸入を阻止することを目的として、前記コネクタ本体２００におけるフランジ部２００−１に、弾性部材からなる内装部材兼用防塵キャップ５０を被着し、コネクタ本体２００の後方後方開放部を閉塞して系内への塵埃の浸入を防止せしめるように構成されている（例えば、特許文献２参照）。
【特許文献１】特開２００３−１９４２７８
【特許文献２】特願２００３−２０９４０４
【発明の開示】
【発明が解決しようとする課題】
【０００６】
上記特許文献１の細径配管接続用コネクタは、コネクタ本体を直接相手部品に螺合することにより、細径配管と相手部品との流路を確保する所謂耐圧式のコネクタであるが、従来公知のこの種のコネクタに比較し、構造上コンパクトであるにも拘らずコネクタ本体と相手部品との組み付けが強固で、配管流路の気密と共に、コネクタ本体と相手部品との気密をも同時に確保できるという優れた成果が確認されている。しかしながら上記コネクタは、図３２からも明らかなようにコネクタ本体の前方円筒部において、相手部品への組付けに用いられる雄ネジの形成部と、その前方に形成される弾性爪壁が、重なることなく直列に形成されるため、該弾性爪壁部の先端爪先部部を含むコネクタ本体の全長が極めて長尺となり、相手部品に形成される取付け孔を深く加工せざるを得ず、加工コストを大幅に押し上げる要因を招いていた。また、上記コネクタを介して相手部品に接続される細径配管は、端末の端部を相手部品とコネクタの先端によって把持された所謂片持ち梁的な構造となるため、該配管に垂直方向の荷重が加わった場合に、不安定要因が拭い難いという宿命的課題が残されていた。
【０００７】
また、特許文献２よって開示される上記図３３に示されるコネクタは、コネクタ本体の前方円筒部に形成される雄ネジ部と、弾性爪壁が円筒部の範囲内で重複して形成されるように改善され、コネクタ本体の短尺化に成功し、さらに図３５に示すコネクタにおいては該コネクタ本体の後方開放部を、内装部材兼用防塵キャップによって閉塞して、系内への塵埃の浸入を防止するよう構成され、それぞれ初期の成果が実証されている。然しながら配管の接続に際して、コネクタ本体の弾性爪壁先端溝部に予め装填されているシールリングを、相手部品の係合壁に係圧して流路の気密を確保する操作において、シールリングの装填位置から相手部品側の定位置に移動する距離（長さ）が不必要に長く、しかも挿入時の配管の上下左右への揺れなどを考慮に入れた場合、シールリングの定位置確保の不安定要因となる。さらに、配管接続時には配管の挿入角度にバラツキを生ずることが避けられず、これを修正するために配管の挿入途中で出し入れを繰り返す場合もあり、この際に弾性爪壁が開閉して、その爪先に装填されたシールリングの位置が不安定になることも懸念される。また、配管の端末に予め別体のバックアップリングを装着しておくことも必須の要件となるが、保管や移動中の接触によるキズの発生や脱落など、端末の管理や保護に煩わしい配慮が要求されるなど、解決を望まれる様々な課題が残されていた。
【０００８】
本発明は、斯かる従来技術に残された課題を解決することを所期の目的とするものであり、具体的にはコネクタ本体の相手部品に組み込まれる部分の構造を必要最小限としてその短尺化確保しながら、シールリングおよびバックアップリングを、該コネクタ本体の弾性爪壁の爪先に形成された係合壁の前方で、コネクタ本体先端円筒部の内周部に内装せしめることによって、細径配管接続時におけるコネクタ本体から相手部品への移動距離を短縮し、該シールリング並びにバックアップリングを安定的に定位置に納めることを可能とし、しかも接続作業の簡素化に寄与することにより、相手部品に対するコネクタ本体の組付けや、該コネクタを介しての細径配管の接続が容易に実施でき、しかも該配管の適正な接続状態が簡略な操作によってかつ的確に維持され、一方、本発明に関連する内装部材兼用防塵キャップ、若しくは該防塵キャップに代えて独自のリテーナを併用することによって、配管接続後のコネクタ系内への塵埃の進入を防止することができ、コネクタ本体の構造を著しく簡略化し、コンパクトな構造であるにも拘らず、強固な組付けに加え、過酷な条件の中でも配管流路と配管接続用コネクタと相手部品との気密を、十分に確保し得る細径配管接続用コネクタを提供することにある。
【課題を解決するための手段】
【０００９】
上記課題を解決するための本発明は、軸芯の前方相手部品側に細径配管に外嵌されるシールリングおよびバックアップリングを内装する先端円筒部内周面と、該内周面に連なる後方円筒部を等分に少なくとも複数に切り欠いた切欠き窓部と、該切欠き窓部の切欠き残部がそれぞれ弾性爪壁をなし、その先端係合壁を軸心方向に閉じるようにして内方に付勢され、更にその後方に連なって後方内径部が形成され、外周部のやや後方に対応する相手部品に当接する円筒状のフランジ部、該フランジ部に連なる前方の前記切欠き窓部並びに弾性爪壁が形成された円筒部の、前記先端円筒部を含む外周には、相手部品の雌ネジに螺合するための雄ネジが形成され、前記円筒状のフランジ部の外周には防塵キャップのフックに繋合するための凹部が形成され、該フランジ部後方に連なる外周部には着脱用工具に繋合可能な形状とした外側係合壁を有するコネクタ本体と、該コネクタ本体の前記先端円筒部内周面に予め内装されるリング状のシールリングと、該シールリングに接してその後方の内周部に予め内装される略円筒体であって、前方円筒部に連なる後方大径部に、前記コネクタ本体の弾性爪壁の収納スペースとなる切り欠き部が、一体として形成されたバックアップリングと、前記コネクタ本体フランジ部外周に設けられた凹部に、先端内周面において軸心方向に凸部を有するフックを繋合し、コネクタ本体後方開放部を覆うようにして組込まれる内装部材兼用の防塵キャップと、端末に形成されたスプール部前方の小径部に、前記シールリングおよびバックアップリングとを連ねるようにして外嵌すると共に、該スプール部の前壁部で該バックアップリングの前側テーパー壁を押圧し、相手部品の第２係合壁にシールリング共々係圧することによって、流路の気密を保持するようにして組込まれる細径配管とによって構成されることを特徴的構成要件とする細径配管接続用コネクタを要旨とするものである。
【００１０】
また、本発明による前記細径配管接続用コネクタにおいて、前記コネクタ本体円筒部に形成される切欠き窓が、フランジ部前方における先端円筒部を除いた円筒部を、等分に四つに分割して切り欠くことによって形成され、該切欠き窓の切欠き残部がそれぞれ先端に係合壁が設けられ、該係合壁を軸心方向に閉じるように付勢することにより、四つの弾性爪壁が形成されることを特徴とするものである。
【００１１】
さらに本発明による前記細径配管接続用コネクタは、前記コネクタ本体の円筒状フランジ部の後方外周に形成される外側係合壁が、スパナ等の着脱用工具に繋合可能な六角のナット状に形成されることを特徴とするものである。
【００１２】
本発明による前記細径配管接続用コネクタはまた、前記略円筒状のバックアップリングが、コネクタ本体先端円筒部内周面に予め内装され、細径配管端末におけるスプール部前方の外周面に外嵌される円筒部と、該円筒部後方に連なる大径部に切欠き部が設けられ、該切欠き部が前記コネクタ本体に形成される弾性爪壁を嵌合して収納するスペースを形成し、該切欠き残部のそれぞれには、後端部から順次に後側テーパー壁、内壁部、前側テーパー壁が形成され、各々が配管挿入時のガイド若しくは受圧部となることを特徴とするものである。
【００１３】
本発明による前記細径配管接続用コネクタはさらに、前記内装部材兼用防塵キャップが、軸心側に配管挿入時のガイド壁を有する内筒部と、その外周面に形成された外壁部とそれに連なる後壁部からなり、該外壁部の先端は前記コネクタ本体フランジ部に準じて円筒状に形成され、該円筒状外壁部の一端に着脱用の把持部が設けられ、その先端内周面に前記コネクタ本体のフランジ部に設けられた凹部に繋合するフックが形成され、該円筒状外壁部に連なる後方の外壁部が、コネクタ本体外周係合壁に準じた形状に形成され、それに連なる後壁部の前記内筒部への入口部分に軸心方向へ傾斜するテーパー壁が形成され、該テーパー壁を除いた前記内筒部入口に相当する部分が薄肉部からなり、該薄肉部の軸芯から放射状に複数のスリットが形成されてなることを特徴とするものである。
【００１４】
本発明による前記細径配管接続用コネクタは、前記細径配管後方に略円筒状のリリーサーが巻着され、該リリーサーが軸芯に前記細径配管を摺動自在に嵌挿するガイド壁が貫設され、一端にフランジ部、それに連なる他端が円筒部からなることを特徴とするものである。
【００１５】
また、本発明による前記細径配管接続用コネクタは、前記コネクタ本体の先端円筒部の内周面に予め内装されるシールリングおよび略円筒状のバックアップリング、該コネクタ本体の後方開放部を覆う内装部材兼用防塵キャップ並びに細径配管後方外周部に摺動自在に嵌挿されるリリーサーが、それぞれ各種ゴムまたはＰＡ、ＰＯＭ、フッ素系樹脂等の合成樹脂から選択される素材によって成形されることを好ましい態様とするものである。
【００１６】
なお、本発明における前記円筒状のバックアップリングを、金属製素材によって形成することも好ましい態様の一つである。
【００１７】
上記本発明による細径配管接続用コネクタにおいて、コネクタ本体の先端円筒部が、前記コネクタ本体の先端円筒部に比較して約２倍の長さに形成され、該長尺の先端円筒部内周面に予め複数のシールリングと、それに連なる後方に前記略円筒状のバックアップリングが内装され、該複数のシールリングの間に円盤状のバックアップリングが内装されることを特徴とするものである。
【００１８】
また、本発明による前記細径配管接続用コネクタにおいて、前記コネクタ本体の先端円筒部内周面に内装されるシールリングが２本であり、該シールリング間に円盤状のバックアップリングが内装されることを特徴とするものである。
【００１９】
上記本発明による細径配管接続用コネクタにおいて、コネクタ本体後方開放部を覆って被着される前記内装部材兼用防塵キャップの後方から、該防塵キャップ内筒部の薄肉部に形成されたスリットを破断して挿入され、その端末の小径部外周に前記シールリングおよび略円筒状のバックアップリングを巻着し、相手部品の第２係合壁に係圧して接続される細径配管が、端末に設けられた前記スプール部の後方に後側スプール部が形成され、更にその後方に複数のバルジ部が形成され、後端バルジ部の後方に軸心方向への凹部が設けられ、該凹部にシールリングを嵌合し、かつ前記後側スプール部後壁部の後方の前記バルジ部を含む外周部に、弾性チューブを外嵌してなることを特徴とするものである。
【００２０】
また、本発明による前記細径配管接続用コネクタにおいて、前記細径配管の後側スプール部後壁部の後方に形成されるバルジ部が２山であり、該バルジ部後方に形成された凹部に嵌合されるシールリングが細径の弾性部材からなり、前記後側スプール部後壁部の後方の前記バルジ部を含む外周部に外嵌される弾性チューブが、各種樹脂チューブ若しくはゴムホース等によって形成されることを特徴とするものである。
【００２１】
上記本発明による細径配管接続用コネクタにおいて、コネクタ本体後方開放部を覆って被着される内装部材兼用防塵キャップが、フランジ部を含むコネクタ本体後方外周面に被着される内周部と、その外周面に形成された外壁部とそれに連なる後壁部からなり、該外壁部の先端は前記コネクタ本体フランジ部に準じて円筒状に形成され、該円筒状外壁部の一端に着脱用の把持部が設けられ、その先端内周面に前記コネクタ本体のフランジ部に設けられた凹部に繋合するフックが形成され、該円筒状外壁部に連なる後方の外壁部が、コネクタ本体外周係合壁に準じた形状に形成され、その後端の後壁部には軸心方向へ傾斜する肉厚のテーパー壁が形成され、該テーパー壁を除いた配管挿入口に相当する部分が薄肉部からなり、該薄肉部の軸芯から放射状に複数の浅く刻まれたスリットが形成され、それに連なる前記肉厚のテーパー壁には深く刻まれたスリットが形成され、配管挿入時には配管先端部がコネクタ本体中心部に挿入されるようガイドすることを特徴的構成要件とするものである。
【００２２】
本発明に係る細径配管接続用コネクタは、軸心内部に、先端の連結筒壁の流通孔に連なって小径室とその後方に大径室とが貫設されるコネクタ本体の、該小径室にはシールリング並びにバックアップリングを内装せしめ、前記大径室周壁のなす対向部位に設けられた係合孔部分或いは切欠き窓部分に、それぞれの先端を係止壁となして内方へ付勢された弾性爪壁を有するソケット体が、前記コネクタ本体と別体若しくは一体に設けられたコネクタ本体と、該コネクタ本体の軸心内部に嵌挿される細径配管であって、その端末に形成されたスプール部を、前記コネクタ本体の弾性爪壁の係止壁によって係圧せしめられて接続される細径配管と、コネクタ本体後方開放部を覆って被着される防塵キャップとからなる細径配管接続用コネクタにおいて、前記防塵キャップが、前記係合孔部分或いは切欠き窓部分を含むコネクタ本体後方外周面に被着される薄肉の前方円筒状外壁部と、その後方に連なる肉厚の後方円筒状外壁部と、その後端に連なる後壁部とからなり、前記前方円筒状外壁部の先端には、コネクタ本体外周の円筒部に設けられた段部に繋合するフックが形成され、一方、後方円筒状外壁部後端の前記後壁部には軸心方向へ傾斜する肉厚のテーパー壁が形成され、該テーパー壁を除いた配管挿入口に相当する部分が薄肉部からなり、該薄肉部の軸芯から放射状に複数の浅く刻まれたスリットが形成され、それに連なる前記肉厚のテーパー壁には深く刻まれたスリットが形成され、配管挿入時には配管先端部が、コネクタ本体中心部に挿入されるようガイドすることを特徴的構成要件とする細径配管接続用コネクタを要旨とするものである。
【００２３】
また、本発明による前記細径配管接続用コネクタにおいて、前記コネクタ本体の小径室に内装されるシールリングが２本であり、該シールリング間に円盤状のバックアップリングと、その後方に略円筒状のバックアップリングが内装されることを特徴とするものである。
【００２４】
さらに、本発明による前記細径配管接続用コネクタにおいて、前記コネクタ本体の小径室に予め内装されるシールリング、円盤状並びに略円筒状のバックアップリングおよび該コネクタ本体の後方開放部を覆う防塵キャップが、それぞれ各種ゴムまたはＰＡ、ＰＯＭ、フッ素系樹脂等の合成樹脂から選択される素材によって成形されることを特徴とするものである。
【００２５】
本発明における細径配管接続用コネクタは、軸芯の前方相手部品側に、細径配管に外嵌されるシールリングおよびバックアップリングを内装する先端円筒部内周面と、該内周面に連なる後方円筒部には小径室と、更にその後方に連なって大径室とがそれぞれ貫設され、外周部のほぼ中心部に対応する相手部品に当接する円筒状のフランジ部、該フランジ部に連なる前方の前記先端円筒部の外周には、相手部品の雌ネジに螺合するための雄ネジが形成され、前記円筒状のフランジ部の後方に連なる外周部には、着脱用工具に繋合可能な形状とした外側係合壁が形成されたコネクタ本体と、該コネクタ本体の前記先端円筒部内周面に予め内装されるシールリングと、該シールリングに接してその後方の内周部に予め内装される略円筒状のバックアップリングと、前記コネクタ本体の大径部にその円筒部を嵌挿し、該円筒部に連なる前方の先端部に亘って縮径された円錐形状の爪部を、該コネクタ本体の小径室側に位置せしめ、コネクタ本体後方開放部を閉塞するようにして内装されるリテーナと、端末に形成されたスプール部前方において、段部によって隔てられる小径部の外周面に、前記シールリングおよびバックアップリングとを連ねるようにして外嵌すると共に、該段部によって該バックアップリングの前側テーパー壁を押圧し、相手部品の第２係合壁に前記シールリング共々係圧することによって、流路の気密を保持するようにして組込まれる細径配管とによってなることを特徴的構成要件とする細径配管接続用コネクタを要旨とするものである。
【００２６】
また、本発明による前記細径配管接続用コネクタは、前記コネクタ本体の円筒状フランジ部の後方外周に形成される外側係合壁が、スパナ等の着脱用工具に繋合可能な六角のナット状に形成されることを特徴とするものである。
【００２７】
さらに、本発明による前記細径配管接続用コネクタは、前記コネクタ本体の後方開放部を閉塞するようにして内装されるリテーナが、該コネクタ本体の大径室に嵌挿される円筒部と、該円筒部に連なる前方が先端部に亘って縮径された円錐形状の爪部と、該爪部の先端には細径配管接続後、該配管スプール部の後壁部を係圧して配管の接続状態を維持する係合壁と、該係合壁に連なって前記配管と同径の薄肉部が形成され、該薄肉部の軸心から放射状に複数のスリットが設けられ、該スリットに連なるようにして前記円錐形状の爪部には切込み溝部が設けられ、該爪部内周面のテーパー壁が前記配管挿入時のガイド部となることを特徴とするものである。
【００２８】
本発明による前記細径配管接続用コネクタはまた、前記リテーナが各種ゴムまたはＰＡ、ＰＯＭ、フッ素系樹脂等の合成樹脂から選択される素材によって形成されるか、該リテーナの円錐形状の爪部における前記切欠き溝部を除く素材部分が、その外側表面を金属製薄板で覆うことによって補強されるか、若しくは前記円錐形状の爪部における該切欠き溝部に、金属製ワイヤーを埋設することによって補強することを特徴とするものである。
【００２９】
本発明による前記細径配管接続用コネクタはさらに、前記リテーナの円筒部をコネクタ本体大径室に嵌挿した後、該コネクタ本体後壁部の所定部位にカシメによる変形加工を施し、固定することにより内装されることを特徴とするものである。
【００３０】
本発明による前記細径配管接続用コネクタにおいて、前記リテーナの円筒部をコネクタ本体大径室に嵌挿し、同時に該コネクタ本体後壁部に形成された凸部に、該リテーナの後壁部を嵌合せしめることにより、内装することを好ましい態様とするものである。
【００３１】
また、本発明による前記細径配管接続用コネクタにおいて、前記コネクタ本体の後方開放部から嵌挿され、相手部品に接続される前記細径配管が、端末にテーパー形状の前壁部と、ほぼ垂直の後壁部とを有するスプールが形成され、該スプール部前方の所定部位に段部が設けられ、該段部によって隔てられる前方の端末部分が、小径部となることを特徴とするものである。
【００３２】
本発明による前記細径配管接続用コネクタにおいて、前記細径配管が、コネクタ本体の後方開放部を閉塞するようにして内装された前記リテーナの、爪部内周面に形成されたテーパー壁をガイドとし、かつ該配管の先端部で該リテーナの薄肉部に形成されたスリットを破断して挿入され、前記コネクタ本体円筒部内周面に予め内装されたバックアップリングおよびシールリングを、該配管小径部に巻着すると共に該配管スプール部で前記リテーナの爪部を拡径しながら更に挿入することにより、前記シールリング並びにバックアップリングが相手部品の第２係合壁に係圧され、同時に該配管スプール部の後壁部が該リテーナの縮径された爪部先端の係合壁に係圧され、該配管の接続状態が維持されることを特徴とするものである。
【００３３】
また、本発明による前記細径配管接続用コネクタにおいて、前記コネクタ本体の円筒部内周面に予め内装される略円筒状の前記バックアップリングが、細径配管端末におけるスプール部前方の小径部外周に外嵌される内径部と、該内径部の後方において前記細径配管の小径部後端の段部に係合する前側テーパー壁と、それに連なる後端に配管挿入時のガイド面となる後側テーパー壁が形成されることを特徴とするものである。
【００３４】
さらに、本発明による前記細径配管接続用コネクタにおいて、前記細径配管後方に略円筒状のリリーサーが巻着され、該リリーサーが、軸芯に前記細径配管を摺動自在に嵌挿するガイド部が貫設され、一端にフランジ部、それに連なる他端が円筒部からなることを好ましい態様とするものである。
【００３５】
本発明による前記細径配管接続用コネクタはまた、前記略円筒形状のバックアップリング、シールリングおよび略円筒状のリリーサーが、各種ゴムまたはＰＡ、ＰＯＭ、フッ素系樹脂等の合成樹脂から選択される素材によって形成されることを好ましい態様とするものである。
【００３６】
上記本発明による細径配管接続用コネクタにおいて、コネクタ本体後方開放部から嵌挿され、相手部品に接続される細径配管が、その端末にテーパー状の前壁部と後方にほぼ垂直の後壁部とを有する拡管部が、一体として形成されることを特徴とするものである。
【００３７】
また、上記本発明に係る細径配管接続用コネクタにおいて、接続される前記細径配管が、コネクタ本体の後方開放部を閉塞するようにして内装された前記リテーナの、爪部内周面に形成されたテーパー壁をガイドとし、かつ該配管の先端部で該リテーナの薄肉部に形成されたスリットを破断して挿入され、前記コネクタ本体円筒部内周面に予め内装されたバックアップリングおよびシールリングを、該配管拡管部前方の外周部に巻着すると共に、該配管拡管部で前記リテーナの爪部を拡径しながら更に挿入することにより、前記シールリング並びにバックアップリングが相手部品の第２係合壁に係圧され、同時に該配管拡管部の後壁部が該リテーナの縮径された爪部先端の係合壁に係圧され、該配管の接続状態が維持されることを特徴とするものである。
【００３８】
さらに、上記本発明に係る細径配管接続用コネクタにおいて、前記コネクタ本体の円筒部内周面に予め内装されるのシールリングが２本であり、該シールリング間に円盤状のバックアップリングと、その後方に略円筒状のバックアップリングが内装されることを好ましい態様とするものである。
【００３９】
上記本発明に係る細径配管接続用コネクタにおいて、前記コネクタ本体の円筒部内周面に予め内装される前記略円筒状のバックアップリングが、前記細径配管端末における拡管部前方の配管外周に外嵌される内径部と、該内径部の後端に前記細径配管の拡管部前方に設けられるテーパー状の前壁部の受圧面となると共に、配管挿入時のガイド面となる後側テーパー壁が形成されることを特徴とするものである。
【００４０】
また、上記本発明に係る細径配管接続用コネクタによれば、前記細径配管後方に略円筒状のリリーサーが巻着され、該リリーサーが、軸芯に前記細径配管を摺動自在に嵌挿するガイド部が貫設され、一端にフランジ部、それに連なる他端が円筒部からなることを好ましい態様とするものである。
【００４１】
さらに、上記本発明に係る細径配管接続用コネクタによれば、前記略円筒形状のバックアップリング、シールリングおよび略円筒状のリリーサーが、各種ゴムまたはＰＡ、ＰＯＭ、フッ素系樹脂等の合成樹脂から選択される素材によって形成されることを好ましい態様とするものである。
【発明の効果】
【００４２】
本発明による細径配管接続用コネクタは、コネクタ本体に形成される切欠き窓が、フランジ部前方円筒部の先端円筒部を除いた部分を当分に切り欠くことによって形成され、該切欠き窓の切欠き残部によって形成される弾性爪壁が、その爪先に形成される係合壁を含めて該円筒部の内径部において、ほぼ中央部に位置する程度の長さに止まって形成され、配管接続時に細径配管スプール部前壁部によって相手部品の係合壁に係圧され、流路の気密を維持するシールリング並びにバックアップリングが、コネクタ本体の前記先端円筒部の内周面において、しかも前記弾性爪壁の該係合壁の前面に位置して内装されることにより、配管挿入時におけるコネクタ本体から、相手部品の定位置への移動距離が極端に短縮され、その受け渡しが安定的にかつスムースに完了する。また、前記バックアップリングの前方円筒部に続く後方大径部に切欠き部が形成され、該切欠き部がコネクタ本体の弾性爪壁の収納スペースとなるため、該弾性爪壁のあらゆる方向へのぶれが制限され、配管の接続状態が安定的に維持されて、特にシールリングの磨耗による損耗が効果的に抑制される。しかも該切欠き部の切欠き残部の内側に形成される後側テーパー壁、内壁、前側テーパー壁は、それぞれ配管挿入時におけるガイドとして機能する。本発明によるコネクタ本体は、その内周面にシールリングやバックアップリングを内装する先端円筒部を含む円筒部の外周に、相手部品の雌ネジに螺合する雄ネジを並行して形成すると共に、前記したように該先端円筒部を除いた円筒部を切り欠いて、切欠き窓や弾性爪壁が形成される構造となっているために、コネクタ本体の全長が大幅に短縮化され、狭隘な作業空間における細径配管の接続作業を容易にすると同時に、コネクタ本体に対する長手方向における垂直な荷重に対し、十分に対応することが可能となった。加えて該コネクタ本体と螺合する相手部品の雌ネジや第1、第2係合壁を含む取付け孔も、従来のコネクタに比較して一層浅い加工で足りるため、その加工コストを大幅に節減することができる。さらに、コネクタ本体の構造も簡略化されるため、その製作手段が通常の切削加工に加えて射出成形や鍛造加工なども可能となり、製造コストの面で大幅な削減が期待できる。
【００４３】
本発明の効果について更に付言すると、コネクタ本体のフランジ部を含む後方開放部を覆って一体として組付けらる内装部材兼用の弾性防塵キャップの作用によって、コネクタ本体に対する衝撃などの外力を緩和して、コネクタの破損やキズの発生を防止すると共に、その防塵効果によってシールリングなどの磨耗を防止して、その寿命性能を向上させてコスト面に寄与し、かつ系内の清浄化を果たしてその気密が安定的に維持される。また、当該内装部材兼用防塵キャップの後壁部に、軸心方向に傾斜するやや肉厚のテーパー壁を形成すると共に、該テーパー壁にそって深く刻み込んだ放射状のスリットを形成し、その軸心方向に連なる薄肉部のスリットに連結することにより、該テーパー壁は配管挿入時のガイドとして機能し、配管先端をコネクタ本体中心部へと誘導して、配管の接続作業を確実にかつ効率的に完了させることができる。このように構成された本発明による防塵キャップは、樹脂製チューブと細径配管との接続に従来から汎用されている所謂クイックコネクタに対しても好適に用いることができ、その接続作業の効率化と、健全な接続状態が効果的に維持される。さらに、本発明におけるリリーサーが細径配管後方外周部に摺動自在に、かつ一体として外嵌されていることにより、メンテナンスなどの必要に応じて該配管を取り外す際の操作が極めて容易となる。なお、本発明によるシールリング、バックアップリング、内装部材兼用防塵キャップ、リリーサー等の各部材をＰＡ、ＰＯＭ、フッ素系樹脂等によって成形することにより、配管挿入時の当該部分の摺動をスムースにし、配管表面へのキズの発生を未然に防ぐことができる。また、本発明によるバックアップリングが金属製素材を採用して、例えば精密鋳造などによって作製することも可能であり、斯かる手段によって高い内圧が予測されるコネクタにおいて効果的に対応することができる。
【００４４】
一方、本発明に関連する他の実施態様による細径配管接続用コネクタは、コネクタ本体の構造が、細径配管が嵌挿される軸心内部に円筒部内周面と、それに連なって小径室と大径室とが貫設され、その外周面には相手部品に螺合して組付けるための雄ネジが形成された円筒部と、該円筒部に連なる後方に円筒状のフランジ部と、更にその後方に着脱用工具に繋合可能な形状とした外側係合壁が形成されるのみという、より一層簡素な構造に改善されるため、コネクタ本体の作製手段が単純な切削加工のほか、射出成形や塑性加工など量産可能な手段を適宜に選択し得るので、製造コストの大幅な削減が可能となる。また、当該実施態様において細径配管の接続状態を維持するために組込まれるリテーナは、細径配管挿入時におけるガイドとしても有効に機能し、しかも配管挿入後はコネクタ本体後方開放部を閉塞して、系内への塵埃の浸入を効果的に阻止する防塵マスクとしても有効に作用すると共に、該リテーナの円錐状の爪部を金属製薄板や金属製ワイヤーによって補強することにより、高い内圧が予測される耐圧用コネクタにおいても、幅広く使用するすることが可能となる。更に本実施態様による細径配管接続用コネクタは、配管接続後に周辺に突出する部位等が無く、全体として極めてコンパクトに構成されるため、周辺部材との接触に起因する不測の事態が未然に防止される。このように本発明によれば、相手部品と細径配管とを直接接続するために用いられる耐圧用のコネクタが、コンパクトな構造で安価に提供でき、しかも振動要因など過酷な条件の下においても配管の接続状態の維持が安定的に保証される。
【発明を実施するための最良の形態】
【００４５】
以下本発明を添付した図面に基づき更に詳細に説明する。
図１は本発明に係る細径配管接続用コネクタの一実施例における配管接続状態を示す２面図で、（ａ）その一部切欠き縦断側面図、（ｂ）は同図（ａ）におけるＡ−Ａ線断面図、図２は同実施例の配管接続前のコネクタ本体と付随する各部材の状態を示す２面図で、（ａ）はコネクタ本体を示す縦断側面図、（ｂ）は細径配管を示す一部切欠き縦断側面図、図３は同実施例において細径配管接続解除の状態を説明するための２面図で、（ａ）はその一部切り欠き縦断側面図、（ｂ）は同図（ａ）におけるＢ−Ｂ線断面図、図４は同実施例のコネクタ本体の単体を示す３面図で、（ａ）は一部縦断側面図、（ｂ）はその背面図、（ｃ）は同図（ａ）におけるＣ−Ｃ線断面図、図５は同実施例において組み込まれる内装部材兼用防塵キャップを示す２面図と、一部拡大断面図で、（ａ）はその縦断側面図、（ｂ）その背面図、（ｃ）は同図（ｂ）におけるＤ−Ｄ線一部拡大断面図、図６は同実施例において組込まれるバックアップスリーブ単体を示す２面図で、（ａ）はその縦断側面図、（ｂ）はその背面図、図７は同実施例において組込まれるリリーサーの単体を示す２面図で、（ａ）はその縦断側面図、（ｂ）はその正面図、図８は本発明に係る細径配管接続用コネクタの他の実施例における配管接続状態を示す２面図（図１に相当）で、（ａ）はその一部切欠き縦断側面図、（ｂ）は同図（ａ）におけるＥ−Ｅ線断面図、図９は同実施例の配管接続前のコネクタ本体と付随する各部材の状態を示す２面図（図２に相当）で、（ａ）はコネクタ本体を示す縦断側面図、（ｂ）は細径配管を示す一部切欠き縦断側面図、図１０は本発明に係る細径配管接続用コネクタのさらに他の実施例における配管接続状態を示す２面図（図１および図８に相当）で、（ａ）はその一部切欠き縦断側面図、（ｂ）は同図（ａ）におけるＦ−Ｆ線断面図、図１１は同実施例に組み込まれる細径配管を示す一部切欠き縦断側面図、図１２は本発明に係る細径配管接続用コネクタのさらに他の実施例における配管接続状態を示す２面図（図１、図８および図１０に相当）で、（ａ）はその一部切欠き縦断側面図、（ｂ）は（ａ）におけるＧ−Ｇ線上断面図、図１３は同実施例の配管接続前のコネクタ本体と付随する各部材の状態を示す２面図（図２および図９に相当）で、（ａ）はコネクタ本体を示す縦断側面図、（ｂ）は組み込まれる細径配管を示す一部切欠き縦断側面図、図１４は同実施例に組込まれる内装部材兼用防塵キャップを示す２面図と、一部拡大断面図（図５に相当）で、（ａ）はその縦断側面図、（ｂ）その背面図、（ｃ）は同図（ｂ）におけるＨ−Ｈ線一部拡大断面図、図１５は本発明に係る細径配管接続用コネクタのさらに他の実施例における配管接続状態を示す２面図（図１、図８、図１０および図１２に相当）で、（ａ）はその半載縦断側面図、（ｂ）はその背面図、図１６は同実施例の配管接続前のコネクタ本体と付随する各部材の状態を示す２面図（図２、図９および図１３に相当）で、（ａ）はコネクタ本体を示す半載縦断側面図、（ｂ）は組み込まれる細径配管を示す一部切欠き縦断側面図、図１７は同実施例のコネクタ本体の単体を示す２面図（図４に相当）で、（ａ）は半載縦断側面図、（ｂ）はその背面図、図１８は同実施例に組込まれる防塵キャップ単体を示す２面図（図５および図１４に相当）で、（ａ）はその縦断側面図、（ｂ）その背面図、図１９は本発明に係る細径配管接続用コネクタのさらに他の実施例における配管接続状態を示す２面図（図１、図８、図１０、図１２および図１５に相当）で、（ａ）はその縦断側面図、（ｂ）は同図（ａ）におけるＩ−Ｉ線上断面図、図２０は同実施例の配管接続前のコネクタ本体と付随する各部材の状態を示す２面図（図２、図９、図１３および図１６に相当）で、（ａ）はコネクタ本体を示す縦断側面図、（ｂ）は組み込まれる細径配管を示す一部切欠き縦断側面図、図２１は同実施例のコネクタ本体の単体を示す２面図（図４および図１７に相当）で、（ａ）は縦断側面図、（ｂ）はその背面図、図２２は同実施例に組込まれるリテーナ単体を示す３面図で、（ａ）はその縦断側面図、（ｂ）その正面図、（ｃ）はその背面図、図２３は同実施例に組込まれるバックアップスリーブ単体の２面図（図６に相当）で、（ａ）はその縦断側面図、（ｂ）はその背面図、図２４は同実施例に組込まれるリリーサー単体の２面図（図７に相当）で、（ａ）はその縦断側面図、（ｂ）はその正面図、図２５は本発明に係る細径配管接続用コネクタのさらに他の実施例における配管接続状態を示す２面図（図１、図８、図１０、図１２、図１５および図１９に相当）で、（ａ）はその縦断側面図、（ｂ）は同図（ａ）におけるＪ−Ｊ線上断面図、図２６は同実施例の配管接続前のコネクタ本体と付随する各部材の状態を示す２面図（図２、図９、図１３、図１６および図２０に相当）で、（ａ）はコネクタ本体を示す縦断側面図、（ｂ）は組み込まれる細径配管を示す一部切欠き縦断側面図、図２７は同実施例に組込まれるバックアップスリーブ単体の２面図（図６および図２３に相当）で、（ａ）はその縦断側面図、（ｂ）はその背面図、図２８は本発明に係る細径配管接続用コネクタのさらに他の実施例における配管接続状態を示す２面図（図１、図８、図１０、図１２、図１５、図１９および図２５に相当）で、（ａ）はその縦断側面図、（ｂ）は同図（ａ）におけるＫ−Ｋ線上断面図、図２９は同実施例に組込まれるリテーナ単体を示す３面図（図２２に相当）で、（ａ）はその縦断側面図、（ｂ）その正面図、（ｃ）はその背面図、図３０は本発明に係る細径配管接続用コネクタのさらに他の実施例における配管接続状態を示す２面図（図１、図８、図１０、図１２、図１５、図１９、図２５および図２８に相当）で、（ａ）はその縦断側面図、（ｂ）は同図（ａ）におけるＬ−Ｌ線上断面図、図３１は同実施例に組込まれるリテーナ単体を示す３面図（図２２および図２９に相当）で、（ａ）はその縦断側面図、（ｂ）その正面図、（ｃ）はその背面図である。
［実施例］
【００４６】
以下、本発明を実施例により更に具体的に説明するが、本発明はこれにより拘束されるものではなく、本発明の主旨の範囲内において自由に設計変更が可能である。
【実施例１】
【００４７】
本願発明に係る第１の実施例による細径配管接続用コネクタは、図１および２に示すように軸心に細径配管Pを嵌挿して相手部品４に組付くコネクタ本体１と、該コネクタ本体１の先端円筒部１−９の内周面に予め内装されるリング状のシールリング２と、該シールリング２に接してその後方の内径部に内装されるバックアップスリーブ３と、前記コネクタ本体１の円筒状のフランジ部１−１と、その後方の外側係合壁１−６とを含めて被着され、コネクタ本体１後方開放部を閉塞する内装部材兼用防塵キャップ５と、該内装部材兼用防塵キャップ５の後壁部５−９に設けられた内筒部５−４を介して挿入されて相手部品に接続される細径配管Ｐと、好ましくは該細径配管の後方の外周部に摺動自在に外嵌されるリリーサー６とによって基本的に構成されている。
【００４８】
本例におけるコネクタ本体１は、図４に示すように外観が略円筒状に形成され、外周のやや後方に対応する相手部品４に当接する円筒状のフランジ部１−１が形成され、その前方には該フランジ部１−１よりやや小径の円筒部１−１１が連なり、該円筒部１−１１の先端部にはその内周面にリング状のシールリング２およびバックアップスリーブ３とを内装する先端円筒部１−９が形成され、該先端円筒部１−９を含む円筒部１−１１の全周に渡り相手部品４の雌ネジ４−４に螺合する雄ネジ１−２が形成され、該雄ネジ１−２が形成された円筒部１−１１において、前記先端円筒部１−９を除いた外周部を、本例においては４等分に切欠いて４つの切欠き窓１−５を形成し、該切欠き窓１−５の切欠き残部がそれぞれに４つの弾性爪壁１−３をなし、その先端係合壁１−４を軸心方向に向かって閉じるようにして内方に付勢している。ここで本発明に係る該弾性爪壁１−３の長さは、コネクタ本体１の円筒部１−１１の全長に対して略半分程度と短く、その先端爪先部分が軸心に対して垂直の係合壁１−４を形成し、配管Ｐの接続に際しては該係合壁１−４を配管スプール部Ｐ−１の垂直の後壁部Ｐ−３に係圧して、該配管Ｐの接続状態を強固に維持する。一方、前記円筒状のフランジ部１−１の外周には内装部材兼用防塵キャップのフックを繋合するための凹部１−８が設けられ、その後方に連なる外周部には、スパナ等の着脱用工具に繋合可能な形状、本例においては６角形とした外側係合壁１−６が形成され、相手部品４への螺合組み付けに際してスパナや６角レンチなどの汎用の着脱用工具による組付けが容易かつ確実に実施できる。このように本例におけるコネクタ本体１の構造は極めてコンパクトで、しかもシンプルな設計であるため、その製作に当たっては通常の切削加工は勿論、射出成形等量産向きの加工手段も容易に選択し得るところから、加工コストを大幅に削減できる上、コネクタ本体１の長手方向の短縮化に貢献して、相手部品４への組付け後垂直方向の荷重に対する強度を高め、加えて狭い作業区域内でのコネクタ本体１の組付けや配管の接続作業を容易にすることができる。
【００４９】
本例においてコネクタ本体１の先端円筒部１−１０の内周面に予め内装される前記シールリング２は、細径配管Ｐの接続に際しては図１に示すように該配管Ｐの端末の小径部Ｐ−４に外嵌され、相手部品４の第２係合壁４−２に係圧して、流路４−１の気密を維持するために機能するリング形状の弾性部材からなり、本例においては耐熱性の合成樹脂製のものが採用される。該シールリング２に接してその後方の前記先端円筒部１−１０の内周部に内装され、細径配管Ｐの接続に際しては該配管Ｐの端末において、配管スプール部Ｐ−１の前方の小径部Ｐ−４に外嵌されて相手部品４の第２係合壁４−２に係圧して、前記シールリング２共々流路４−３の気密を維持するために機能する前記バックアップスリーブ３は、コネクタ本体１の前記先端円筒部１−１０の内周面に内装される略円筒体であって、図６に示すように細径配管Ｐを端末におけるスプール部Ｐ−１前方の小径部Ｐ−４に外嵌される前方円筒部３−１と、該前方円筒部３−１の後方に連なる大径部に等分に４つの切欠き部３−３が設けられ、本例における該切欠き部３−３は、前記コネクタ本体１の弾性爪壁１−３に準じた形状に形成され、該切欠き部３−３が該弾性爪壁１−３を嵌合して収納するスペースを形成し、一方、切欠き残部のそれぞれには後端部から順次に後側テーパー壁３−４、内壁３−６および前側テーパー壁３−５が形成され、各々が配管Ｐ挿入時のガイドや配管Ｐ挿入後の受圧部として機能し、前記切欠き部３−３に収納された弾性爪壁１−３の様々な方向へのブレを抑制して、配管Ｐの接続状態を安定的に維持すると共に、シールリング２の摩擦が原因する損耗を効果的に予防する。本例における上記バックアップスリーブ３は、前記シールリング部材２と同様弾性部材である耐熱性樹脂を素材として採用し、通常射出成形等の加工手段によって製造されるため、安価にかつ量産が可能である。
【００５０】
本実施例においてコネク本体１の後方開放部を覆って被着される内装部材兼用防塵キャップ５は、図５に示すように軸心側に配管挿入時のガイド壁を有する内筒部５−４と、その外周面に形成された外壁部５−６とそれに連なる後壁部５−９からなり、該外壁部５−９の先端は前記コネクタ本体フランジ部１−１に準じて円筒状に形成され、該円筒状外壁部５−６の一端に着脱用の把持部５−１が設けられ、該杷持部５−１によってコネクタ本体１への着脱が容易となり、その先端内周面に前記コネクタ本体１のフランジ部１−１に設けられた凹部１−８に繋合するフック５−２が形成され、該内装部材兼用防塵キャップ５のコネクタ本体１への安定的な繋合が保障され、該円筒状外壁部５−６に連なる後方外壁部５−１０が、コネクタ本体外周係合壁１−６に準じた形状に形成され、該内装部材兼用防塵キャップ５を被着したままでのコネクタ本体１の相手部品４への着脱が可能となり、それに連なる後壁部５−９の前記内筒部５−４への入口部分に軸心方向へ傾斜するテーパー壁５−７が形成され、該テーパー壁５−７を除いた前記内筒部入口に相当する部分が薄肉部５−３からなり、該薄肉部５−３の軸芯から放射状に複数のスリット５−８が形成されている。前記テーパー壁５−７は配管Ｐ挿入時のガイドとなり、該薄肉部５−３に形成されたスリット５−８は配管端末に押されて容易に破断して、スプール部Ｐ−１を含めた配管Ｐの進入が完了して定位置が確保されると、該薄肉部５−３はスリット５−８共々軸心方向に閉じ、図１に示すように後方開放部を閉塞して系内への塵埃の浸入を阻止してその清浄化に寄与する。
【００５１】
本実施例において、好ましくは細径配管Ｐ後方外周部に外嵌されて細径配管接続用コネクタを構成するリリーサー６は、図７に示すように軸芯に該配管Ｐを摺動自在に嵌挿するガイド壁６−４が貫設され、一端にフランジ部６−２、それに連なる他端が円筒部６−３からなり、これによりメンテナンスなどの必要に応じて該配管Ｐを取り外す際にその操作が極めて容易となる。なお、本例によるリリーサー５は合成ゴムを素材として採用したが、これを本発明によるシールリング、バックアップスリーブ、内装部材兼用防塵キャップ等の各部材と同様、ＰＡ、ＰＯＭ、フッ素系樹脂等によって成形することにより、同等の効果が確認され、配管Ｐの接続を解除する際の当該部分の摺動をスムースにし、配管表面へのキズの発生を未然に防ぐことができる。
【実施例２】
【００５２】
本例におけるコネクタは、図８および９に示すようにコネクタ本体１ａの先端円筒部１ａ−９が、前記実施例１におけるコネクタ本体１の先端円筒部１−９に比較して約２倍の長さに形成され、該長尺の先端円筒部１ａ−９の内周面に予め２本のリング状のシールリング２および２ａと、それに連なる後方に前記略円筒状のバックアップスリーブ３が内装され、該２本のシールリング２および２ａの間に円盤状のバックアップリング３ａが内装される以外は、前記実施例１と同様にして細径配管接続用コネクタが構成されるものである。
【００５３】
本例において採用されるシールリング２および２ａは２本であり、このシールリング２を低温用、シールリング２ａを高温用としてその素材における特性を活用することにより、その耐久性の向上が図られることが確認され、当該シールリング２および２ａ間に内装される円盤状のバックアップリング３ａとの相乗効果が相俟って、その気密性の向上に寄与して細径配管接続用コネクタとしての幅広い用途に採用されることが期待される。
【実施例３】
【００５４】
本実施例による細径配管接続用コネクタは、上記実施例１においてコネクタ本体１を介して相手部品４に接続される細径配管Ｐに代えて、図１０および１１に示すように端末に設けられた前記スプール部Ｐａ−１の後方に後側スプール部Ｐａ−５が形成され、更にその後方に本例においては二つのバルジ部Ｐａ−７が形成され、後端バルジ部Ｐａ−７の後方に軸心方向への凹部Ｐａ−８が設けられ、該凹部Ｐａ−８にリング状のシールリング２ｂを嵌合し、かつ前記後側スプール部後壁部Ｐａ−６の後方の前記バルジ部Ｐａ−７を含む外周部に、弾性チューブ７を外嵌した細径配管Ｐａを用いた以外は、実質的に上記実施例１と同様にして細径配管接続用コネクタを構成し、実施例１と同様の条件で相手部品４との流路を形成した結果、ほぼ同等の成果が確認された。
【００５５】
本例における前記後側スプール部Ｐａ−５は弾性チューブ７を押し込んで組付ける際のストッパーの役割を果たし、二つのバルジ部Ｐａ−７は組込まれた該弾性チューブ７が、配管Ｐａの端末から抜け落ちることを防止する。該配管Ｐａの末尾に形成された凹部Ｐａ−８に嵌合されるシールリング２ｂは、該配管Ｐａの端末における外周面と、弾性チューブ７の内周面との間における気密の維持を図る上で機能する。配管Ｐａの接続状態はコネクタ本体１への該配管Ｐａの当接によって確認され、接続完了後は図１０に示すようにコネクタ本体１の後端部が、バルジ部Ｐａ−７に被着された弾性チューブ７によって完璧に塞がれるため、配管の上下左右へのブレは完全に制限され、先端側端末に外嵌されたシールリング２の摩擦に起因する損耗が効果的に抑制される。なお、配管Ｐａの接続解除はコネクタ本体１の相手部品４に対する螺合を解除することによって実施される。また、本例における前記弾性チューブ７は樹脂製のチューブを採用したが、これに代えて本発明の主旨の範囲内でゴムホースなど他の弾性素材の中から選択して用いることを妨げない。
【実施例４】
【００５６】
本実施例における細径配管接続用コネクタは、コネクタ本体１の後方開放部を覆って被着される内装部材兼用防塵キャップ５ａが、図１２〜１４に示すようにフランジ部１−１を含むコネクタ本体１の後方外周面に被着される内周部５ａ−１１と、その外周面に形成された外壁部とそれに連なる後壁部５ａ−９からなり、より具体的には該外壁部の先端側は前記コネクタ本体フランジ部１−１に準じて円筒状外壁部５ａ−６が形成され、該円筒状外壁部５ａ−６の一端に着脱用の把持部５ａ−１が設けられ、その先端内周面に前記コネクタ本体１のフランジ部１−１に設けられた凹部１−８に繋合するフック５ａ−２が形成され、該円筒状外壁部５ａ−６に連なる後方の外壁部が、コネクタ本体外周係合壁１−６に準じた形状、即ち６角のナット状に形成され、その後端の後壁部５ａ−９には軸心方向へ傾斜する肉厚のテーパー壁５ａ−７が形成され、該テーパー壁５ａ−７を除いた配管挿入口に相当する部分が薄肉部５ａ−３からなり、該薄肉部５ａ−３の軸芯から放射状に複数の浅く刻まれたスリット５ａ−８が形成され、それに連なる前記肉厚のテーパー壁５ａ−７には深く刻まれたスリット５ａ−１２が形成され、配管Ｐの挿入時には該配管Ｐの先端部が、コネクタ本体１の中心部に確実に挿入されるようガイドする以外は、実質的に実施例１と同様にして細径配管接続用コネクタを構成している。
【００５７】
上記実施例４におけるコネクタは、内装部材兼用防塵キャップ５ａの後壁部５ａ−９に形成された肉厚のテーパー壁５ａ−７が、細径配管Ｐ挿入時におけるガイドとしての機能を果たし、該細径配管Ｐの先端をコネクタ本体１の中心部へと誘うと共に、該テーパー壁に深く刻まれた放射状のスリット５ａ−１２が容易に破断して拡径し、配管の接続が容易にかつ確実に完了し、配管接続後は該テーパー壁はスリット５ａ−１２共々軸心方向に閉じ、図１２に示すように配管挿入口に相当する薄肉部５ａ−３のスリット５ａ−８共々コネクタ本体１後方開放部を閉塞して、塵埃の浸入を防止して系内を清浄な状態に維持するために貢献する。
【実施例５】
【００５８】
本実施例は本発明に関連する防塵キャップを、樹脂製チューブと細径配管との接続に用いられる所謂クイックタイプのコネクタに採り入れたものであり、図１５〜１７に示すように本例による細径配管接続用コネクタは、軸心内部に、先端の連結筒壁１ｂ−１４の流通孔１ｂ−１８に連なって小径室１ｂ−１５とその後方に大径室１ｂ−１６とが貫設されるコネクタ本体１ｂの、該小径室１ｂ−１５にはシールリング２ｃ並びにバックアップスリーブ３ｂ、バックアップリング３ｃを内装せしめ、前記大径室１ｂ−１６周壁のなす対向部位に設けられた係合孔部分或いは切欠き窓部分１ｂ−１７に、それぞれの先端を係止壁１ｂ−４となして内方へ付勢された弾性爪壁１ｂ−３を有するソケット体１ｂ−１２が、前記コネクタ本体１ｂと別体若しくは一体に設けられたコネクタ本体１ｂと、該コネクタ本体１ｂの軸心内部に嵌挿される細径配管Ｐｂであって、その端末に形成されたスプール部Ｐｂ−１を、前記コネクタ本体１ｂの弾性爪壁１ｂ−３の係止壁１ｂ−４によって係圧せしめられて接続される細径配管Ｐｂと、コネクタ本体１ｂの後方開放部を覆って被着される防塵キャップ５ｂとによって構成されている。茲で本例においては前記防塵キャップ５ｂが、図１８に示すように前記係合孔部分或いは切欠き窓部分１ｂ−１７を含むコネクタ本体１ｂ後方外周面に被着される薄肉の前方円筒状外壁部５ｂ−６と、その後方に連なる肉厚の後方円筒状外壁部５ｂ−１０と、さらにその後端に連なる後壁部５ｂ−９とからなり、前記前方円筒状外壁部５ｂ−６の先端には、コネクタ本体１ｂ外周の円筒部１ｂ−１１に設けられた段部１ｂ−１３に繋合するフック５ｂ−２が形成され、一方、前記後方円筒状外壁部５ｂ−１０後端の前記後壁部５ｂ−９には軸心方向へ傾斜する肉厚のテーパー壁５ｂ−７が形成され、該テーパー壁５ｂ−７を除いた配管挿入口に相当する部分が薄肉部５ｂ−３からなり、該薄肉部５ｂ−３の軸芯から放射状に複数の浅く刻まれたスリット５ｂ−８が形成され、それに連なる前記肉厚のテーパー壁５ｂ−７には深く刻まれたスリット５ｂ−１２が、前記薄肉部５ｂ−３に形成された浅く刻まれたスリット５ｂ−８に連続するようにして形成され、配管Ｐｂの挿入時には該配管Ｐｂの先端部が、コネクタ本体中心部に挿入されるように誘導するガイドとして機能するように構成されている。
【００５９】
上記のように構成された本例によるコネクタにおいては、細径配管Ｐｂの挿入と同時に該配管Ｐｂの先端部は、防塵キャップ５ｂの後壁部５ｂ−９に形成されたテーパー壁５ｂ−７に接触すると同時に、該テーパー壁５ｂ−７の傾斜に沿って軸心方向に誘導され、薄肉部５ｂ−３に形成されたスリット５ｂ−８を破断してコネクタ本体１ｂの中心部へと挿入され、さらに押し込むと配管Ｐｂのスプール部Ｐｂ−１が、前記肉厚のテーパー壁５ｂ−７に形成された深く刻まれたスリット５ｂ−１２を破断し、さらに押し込んで後方スプール部Ｐｂ−５がテーパー壁５ｂ−７先端を通過すると、その弾性作用によって該テーパー壁５ｂ−７は軸心に向かう方向に閉じ、その先端が細径配管Ｐｂの後方スプール部Ｐｂ−５の後壁部に係圧して配管Ｐｂの接続状態を維持するための一助となり、同時に前記薄肉部５ｂ−３と共にコネクタ本体１ｂの後方開放部を閉塞して、塵埃の浸入を阻止して系内を清浄に保つために寄与する。
【００６０】
なお、本実施例による細径配管Ｐｂは、図１６に示すように配管端末に形成されるスプール部Ｐｂ−１に加えて、その後方に後方スプールＰｂ−５が設けられているが、該後方スプール部Ｐｂ−５は必須の要件ではなく、場合によっては不要となることもある。また、コネクタ本体１ｂの小径室１ｂ−１５に内装されるシールリング２ｃはリング状であり、該シールリング２ｂの間には円盤状のバックアップリング３ｃ、その後方には略円筒状のバックアップスリーブ３ｂが内装されるが、いずれの部材も各種ゴムまたはＰＡ、ＰＯＭ、フッ素系樹脂等、耐熱性と耐食性を具備した弾性部材に作製されることが好ましい。
【実施例６】
【００６１】
本実施例における細径配管接続用コネクタは、図１９〜２１に示すようにコネクタ本体１ｃそのものの構造が、細径配管Ｐｃを嵌挿する軸芯内部の前方相手部品側に、予めシールリング２ｃとバックアップスリーブ３ｄとを内装する先端円筒部内周面１ｃ−８、該内周面１ｃ−８に連なる後方には小径室１ｃ−４と、更にその後方に連なって大径室１ｃ−５とがそれぞれ貫設され、外周部のほぼ中心部に対応する相手部品４に当接する円筒状のフランジ部１ｃ−１と、該フランジ部１ｃ−１を境にその前方には小径の前記先端円筒部１ｃ−３が設けられ、その外周には相手部品４の雌ネジ４−４に螺合するための雄ネジ１ｃ−２が形成されている。また、該円筒状のフランジ部１ｃ−１の後方に連なる外周部には、着脱用工具に繋合可能な形状、具体的には六角のナット形状とした外側係合壁１ｃ−６が形成されるという極めて簡略で、かつコンパクトな形状に形成されている。このコネクタ本体１ｃの前記大径室１ｃ−５には、その後方開放部を閉塞するようにして別体のリテーナ８が内装されるが、本例における該リテーナ８は、ポリアミド（ＰＡ）１２のガラス入り合成樹脂によって形成され、図２２に示すようにコネクタ本体１ｃの前記大径室１ｃ−５に嵌挿される円筒部８−１と、それに連なる前方に先端部に亘って縮径された円錐形状の爪部８−２と、該爪部８−２の先端には細径配管Ｐｃ接続後、該配管スプール部Ｐｃ−１の後壁部Ｐｃ−３を係圧して配管Ｐｃの接続状態を維持する係合壁８−５と、該係合壁８−５に連なって前記配管Ｐｃと同径の薄肉部８−６が形成され、該薄肉部８−６の軸心から放射状に複数のスリット８−７が設けられ、該スリット８−７に連なるようにして前記円錐形状の爪部８−２には切込み溝部８−８が設けられ、該爪部８−２内周面のテーパー壁８−１１が前記配管Ｐｃ挿入時のガイド部となるよう構成されている。本実施例における前記リテーナ８は、その円筒部８−１をコネクタ本体１ｃの大径室１ｃ−５に嵌挿した後、該コネクタ本体１ｃの後壁部１ｃ−１０に設けられた所定位置、即ちカシメ部１ｃ−７にカシメによる変形加工を施すことによって固定して内装し、この段階でコネクタ本体１ｃの後方開放部が閉塞された。
【００６２】
本実施例における前記コネクタ本体１ｃの後方から嵌挿され、相手部品に接続される細径配管Ｐｃは、図２０（ｂ）に示すように端末にテーパー形状の前壁部Ｐｃ−２と、ほぼ垂直の後壁部Ｐｃ−３とを有するスプールＰｃ−１が形成され、該スプール部Ｐｃ−１前方の所定部位に段部Ｐｃ−５が設けられ、該段部Ｐｃ−５によって隔てられる前方の端末部分が、小径部Ｐｃ−４となるように構成されている。また、本実施例における上記リテーナ８は、ＰＡ１２のガラス入り樹脂によって形成されているが、特定の引張り強度と靭性を有し、射出成形可能な他の合成樹脂、例えばＰＡ６、ＰＡ１１、ＰＡ１２、ＰＡ６６、ＰＡ６１２、ＰＯＭ、ＰＥＴ、ＰＢＴおよびこれらのガラス入り樹脂の中から適宜に選択して用いることが可能であり、上記コネクタ本体１ｃの円筒部内周面１ｃ−８に予め内装される略円筒状の前記バックアップスリーブ３ｄは、本例においては前記リテーナ８と実質的に同一の素材によって形成され、図２３に示すように細径配管Ｐｃ端末における前記小径部Ｐｃ−４の外周に外嵌される内径部３ｄ−３と、該内径部３ｄ−３の後方において前記細径配管Ｐｃの小径部後端の段部Ｐｃ−５に係合する前側テーパー壁３ｄ−５と、それに連なる後端に配管挿入時のガイド面となる後側テーパー壁３ｄ−４が形成されるという単純な構造になっている。なお、本実施例における上記バックアップスリーブ３ｄは、前記リテーナ８と実質的に同一の素材によって形成されているが、本発明におけるバックアップスリーブは、これによって限定されるものではなく、特段に弾性用素材を用いる必要がないところから、上記ポリアミド樹脂等以外の硬質樹脂や各種金属素材の中から任意に選択して採用することを妨げるものではない。
【００６３】
本実施例における細径配管接続用コネクタにおける配管の接続に際しては、前記細径配管Ｐｃがコネクタ本体１ｃの後方開放部を閉塞するようにして内装された前記リテーナ８の、爪部８−２の内周面に形成されたテーパー壁８−１１をガイドとし、かつ該配管Ｐｃの先端部で該リテーナ８の薄肉部８−６に形成されたスリット８−７を破断して挿入し、該コネクタ本体１ｃの円筒部内周面１ｃ−８に予め内装された前記バックアップスリーブ３ｄおよびシールリング２ｃを、該配管小径部Ｐｃ−４に巻着すると共に該配管スプール部Ｐｃ−１で前記リテーナ８の爪部８−２を拡径しながら、同時に薄肉部８−６および該薄肉部に８−６に形成されたスリット８−７を破断して更に挿入することにより、前記シールリング２ｃ並びにバックアップスリーブ３ｄが相手部品４の第２係合壁４−２に係圧され、同時に該配管スプール部Ｐｃ−１の後壁部Ｐｃ−３が該リテーナ８の縮径された爪部８−２先端の係合壁８−５に係圧され、配管Ｐｃと相手部品４との流路４−３の気密が確実に保持されると共に、配管Ｐｃの強固な接続状態が維持され、同時に一端拡径されたリテーナ８の爪部８−２は、再び軸心方向に閉じてコネクタ本体１ｃの後方開放部を閉塞して、系内に対する塵埃の浸入を阻止する。なお、この際該リテーナ８の前記係合壁８−５に連なる薄肉部８−６は、図１９に示すように外側に屈曲してコネクタ本体１ｃの小径室１ｃ−４の前方を更に閉塞し、その内側にある系内のより一層の清浄化に寄与する。
【実施例７】
【００６４】
本実施例においては、図２５に示すようにコネクタ本体１ｃ後方から嵌挿されて相手部品４に接続される細径配管Ｐｄが、その端末にテーパー状の前壁部Ｐｄ−２と後方にほぼ垂直の後壁部Ｐｄ−３とを有する拡管部Ｐｄ−６が、一体として形成されおり、また、コネクタ本体１ｃの円筒部内周面１ｃ−８に予め内装されるリング形状のシールリング２ｄが２本であり、該シールリング２ｄ間に円盤状のバックアップリング３ｆと、その後方に略円筒状のバックアップスリーブ３ｅが内装されているが、本例における略円筒状の前記バックアップスリーブは、前記実施例６と実質的に同様の素材によって形成されるが、図２７に示すように細径配管Ｐｄの端末における拡管部Ｐｄ−６前方の配管外周に外嵌される内径部３ｄ−３と、該内径部３ｄ−３の後端には、細径配管Ｐｄの拡管部Ｐｄ−６前方に設けられるテーパー状の前壁部Ｐｄ−２の受圧面となると共に、配管挿入時のガイド面となる後側テーパー壁３ｄ−４が形成されるという、さらに単純化された構造となっているが、それ以外は実質的に上記実施例６と同様にして細径配管接続用コネクタが構成されている。
【００６５】
上記構成による本実施例による細径配管接続用コネクタにおいても、細径配管Ｐｄの接続に際しては、接続される上記細径配管Ｐｄをコネクタ本体１ｃの後方開放部を閉塞するようにして内装された前記リテーナ８の、爪部内周面に形成されたテーパー壁８−１１をガイドとし、かつ該配管の先端部で該リテーナの薄肉部８−６に形成されたスリット８−７を破断して挿入し、コネクタ本体円筒部内周面１ｃ−８に予め内装された略円筒状のバックアップスリーブ３ｅ、リング状のシールリング２ｄ、円盤状のバックアップリング３ｆおよびリング状のシールリング２ｄを、該配管拡管部Ｐｄ−６前方の外周部に順次巻着すると共に、該配管拡管部Ｐｄ−６で前記リテーナ８の爪部８−２を拡径しながら、同時に薄肉部８−６および該薄肉部に８−６に形成されたスリット８−７を破断して更に挿入することにより、前記シールリング２ｄ並びにバックアップスリーブ３ｅ、バックアップリング３ｆが相手部品４の第２係合壁４−２に係圧され、配管Ｐｄと相手部品４との流路４−３の気密が確実に保持されると共に、配管Ｐｄの強固な接続状態が維持され、同時に一端拡径されたリテーナ８の爪部８−２は、再び軸心方向に閉じてコネクタ本体１ｃの後方開放部を閉塞して、系内に対する塵埃の浸入を阻止する。なお、この際該リテーナ８の前記係合壁８−５に連なる薄肉部８−６は、図２５に示すように外側に屈曲してコネクタ本体１ｃの小径室１ｃ−４の前方を更に閉塞し、その内側にある系内のより一層の清浄化に寄与する。
【００６６】
なお、上記実施例７においては２本のシールリング２ｄおよび該シールリング２ｄ間に、円盤状のバックアップリング３ｆを用いて流路４−３の気密を保持させたが、これを実施例６と同様それぞれ１本のシールリングおよびバックアップリングで補うことを妨げるものではない。
【実施例８】
【００６７】
図２８に示すようにコネクタ本体１ｄの後壁部１ｄ−１０に、リテーナ８ａの円筒部８ａ−１を嵌合するためのかしめ部１ｄ−１１を形成し、該かしめ部１ｄ−１１に前記リテーナ８ａの円筒部８ａ−１を嵌合することによって固定すると共に、図２９に示すように該リテーナ８ａの円錐形の爪部８ａ−２において、切欠き溝部８ａ−８を除く素材部分（実施例６と同様、ＰＡ１２のガラス入り合成樹脂）を金属製薄板（本例においてはステンレススチール製を採用）によって形成された金属薄板爪部８ａ−１０で覆うことによって補強した以外は、実質的に上記実施例７と同様にして細径配管接続用コネクタを構成し、実施例７と同様の条件で性能テストに供した結果、相手部品の内圧の上昇に伴う負荷に十分に対応すると共に、それ以外についてはほぼ同等の成果が確認された。
【実施例９】
【００６８】
図３０に示すようにコネクタ本体１ｄに固定して内装されるリテーナ８ｂが、図３１に示すように該リテーナ８ｂの円錐形の爪部８ａ−２における切欠き溝部８ｂ−８に、金属製ワイヤー（本例においてはステンレススチール製を採用）埋設することによって補強した以外は、実質的に上記実施例８と同様にして細径配管接続用コネクタを構成し、実施例８と同様の条件で性能テストに供した結果、相手部品の内圧の上昇に伴う負荷に十分に対応すると共に、それ以外についてはほぼ同等の成果が確認された。
【００６９】
上記実施例８および９においては、リテーナの補強材と用いられる金属製薄板若しくは金属製ワイヤーとしてステンレススチール製のものを採用したが、一定の機械的強度を有すると共に耐熱性と耐食性並びに加工性において優れるものであれば、その他に金属を適宜に選択して採用することを妨げない。また、使用する細径配管には必要に応じて鍍金や塗装を施すことも可能であり、該細径配管の後方外周部に上記各実施例と同様のリリーサーを、摺動自在に取り付けることにより、メンテナンス等に及んで、配管を取り外す必要に迫られる場合に有効に用いることができる。
【産業上の利用可能性】
【００７０】
上記各実施例によっても明らかなように本発明による細径配管接続用コネクタは、コネクタ本体に形成される切欠き窓が、フランジ部前方円筒部の先端円筒部を除いた外周部分を当分に切り欠くことによって形成され、該切欠き窓の切欠き残部によって形成される弾性爪壁が、その爪先に形成される係合壁を含め該円筒部の内径部において、ほぼ中央部に位置する程度の長さに止まって形成されているので、配管接続時に細径配管スプール部前壁部によって相手部品の係合壁に係圧され、流路の気密を維持するシールリング並びにバックアップスリーブが、コネクタ本体の前記先端円筒部の内周面において、しかも前記弾性爪壁の該係合壁の前面に位置して内装されることとなり、配管挿入時におけるコネクタ本体から、相手部品の定位置への移動距離が極端に短縮され、その受け渡しが安定的にかつスムースに完了する。また、前記バックアップスリーブの前方円筒部に続く後方大径部に切欠き部が形成され、該切欠き部がコネクタ本体の弾性爪壁の収納スペースとなるため、該弾性爪壁のあらゆる方向へのぶれ、とりわけ周方向へのずれが制限され、配管の接続状態が安定的に維持されて、特にシールリングの磨耗に起因する損耗が効果的に抑制される。しかも該切欠き部の切欠き残部の内側に形成される後側テーパー壁、内壁、前側テーパー壁は、それぞれ配管挿入時におけるガイドや配管接続後の受圧部として機能する。
【００７１】
さらに本発明によるコネクタ本体は、その内周面にシールリングやバックアップスリーブが内装される先端円筒部を含めた円筒部の外周に、相手部品の雌ネジに螺合する雄ネジを並行して形成すると共に、前記したように該先端円筒部を除いた円筒部を切り欠いて、切欠き窓や弾性爪壁が形成される構造となっているので、コネクタ本体の全長が大幅に短縮化され、狭隘な作業空間における細径配管の接続作業を容易にすると同時に、コネクタ本体に対する長手方向における垂直な荷重に対し、十分に対応することが可能となった。加えて該コネクタ本体と螺合する相手部品の雌ネジや第１、第２係合壁を含む取付け孔も、従来のコネクタに比較して一層浅い加工で足りるため、その加工コストを大幅に節減することができる。また、当該内装部材兼用防塵キャップの後壁部に、軸心方向に傾斜するやや肉厚のテーパー壁を形成すると共に、該テーパー壁にそって深く刻み込んだ放射状のスリットを形成し、その軸心方向に連なる薄肉部のスリットに連結することにより、該テーパー壁は配管挿入時のガイドとして機能し、配管先端をコネクタ本体中心部へと誘導して、配管の接続作業を確実にかつ効率的に完了させることができる。このように構成された本発明による防塵キャップは、樹脂製チューブと細径配管との接続に従来から汎用されている所謂クイックコネクタに対しても好適に用いることができ、その接続作業の効率化と、健全な接続状態が効果的に維持される。
【００７２】
一方、本発明に関連する他の実施態様による細径配管接続用コネクタは、より一層簡素な構造に改善されているため、コネクタ本体の作製手段が自動旋盤などによる単純な切削加工のほか、射出成形や塑性加工など量産可能な手段を適宜に選択し得るので、製造コストの大幅な削減が可能となる。また、当該実施態様において細径配管の接続状態を維持するために組込まれるリテーナは、細径配管挿入時におけるガイドとしても有効に機能し、しかも配管挿入後はコネクタ本体後方開放部を閉塞して、系内への塵埃の浸入を効果的に阻止する防塵マスクとしても有効に作用すると共に、該リテーナの円錐状の爪部を金属製薄板や金属製ワイヤーによって補強することにより、高い内圧が予測される耐圧用コネクタにおいても、幅広く使用するすることが可能となる。更に本実施態様による細径配管接続用コネクタは、配管接続後に周辺に突出する部位等が無く、全体として極めてコンパクトに構成されるため、周辺部材との接触に起因する不測の事故や損傷が未然に防止される。このように本発明による細径配管接続用コネクタは、コネクタ本来に求められる各種の要件を十分に満たすと共に、製造コストの面で大幅な削減が期待できる。従って耐圧式の細径配管接続用コネクタに止まらず、樹脂製チューブ等を接続する所謂クイックタイプのコネクタを含めて広範な用途に有効に用いられることが期待できる。
【図面の簡単な説明】
【００７３】
【図１】本発明に係る細径配管接続用コネクタの一実施例における配管接続状態を示す２面図で、（ａ）その一部切欠き縦断側面図、（ｂ）は同図（ａ）におけるＡ−Ａ線断面図である。
【図２】同実施例の配管接続前のコネクタ本体と付随する各部材の状態を示す２面図で、（ａ）はコネクタ本体を示す縦断側面図、（ｂ）は細径配管を示す一部切欠き縦断側面図である。
【図３】同実施例において細径配管接続解除の状態を説明するための２面図で、（ａ）はその一部切り欠き縦断側面図、（ｂ）は同図（ａ）におけるＢ−Ｂ線断面図である。
【図４】同実施例のコネクタ本体の単体を示す３面図で、（ａ）は一部縦断側面図、（ｂ）はその背面図、（ｃ）は同図（ａ）におけるＣ−Ｃ線断面図である。
【図５】同実施例において組み込まれる内装部材兼用防塵キャップを示す２面図と、一部拡大断面図で、（ａ）はその縦断側面図、（ｂ）その背面図、（ｃ）は同図（ｂ）におけるＤ−Ｄ線一部拡大断面図である。
【図６】同実施例において組込まれるバックアップスリーブ単体を示す２面図で、（ａ）はその縦断側面図、（ｂ）はその背面図である。
【図７】同実施例において組込まれるリリーサーの単体を示す２面図で、（ａ）はその縦断側面図、（ｂ）はその正面図である。
【図８】本発明に係る細径配管接続用コネクタの他の実施例における配管接続状態を示す２面図で、（ａ）はその一部切欠き縦断側面図、（ｂ）は同図（ａ）におけるＥ−Ｅ線断面図である。
【図９】同実施例の配管接続前のコネクタ本体と付随する各部材の状態を示す２面図で、（ａ）はコネクタ本体を示す縦断側面図、（ｂ）は細径配管を示す一部切欠き縦断側面図である。
【図１０】本発明に係る細径配管接続用コネクタのさらに他の実施例における配管接続状態を示す２面図で、（ａ）はその一部切欠き縦断側面図、（ｂ）はその背面図である。
【図１１】同実施例に組み込まれる細径配管を示す一部切欠き縦断側面図である。
【図１２】本発明に係る細径配管接続用コネクタのさらに他の実施例における配管接続状態を示す２面図（図１、図８および図１０に相当）で、（ａ）はその一部切欠き縦断側面図、（ｂ）は（ａ）におけるＧ−Ｇ線上断面図である。
【図１３】同実施例の配管接続前のコネクタ本体と付随する各部材の状態を示す２面図（図２および図９に相当）で、（ａ）はコネクタ本体を示す縦断側面図、（ｂ）は組み込まれる細径配管を示す一部切欠き縦断側面図である。
【図１４】同実施例に組込まれる内装部材兼用防塵キャップを示す２面図と、一部拡大断面図（図５に相当）で、（ａ）はその縦断側面図、（ｂ）その背面図、（ｃ）は同図（ｂ）におけるＨ−Ｈ線一部拡大断面図である。
【図１５】本発明に係る細径配管接続用コネクタのさらに他の実施例における配管接続状態を示す２面図（図１、図８、図１０および図１２に相当）で、（ａ）はその半載縦断側面図、（ｂ）はその背面図である。
【図１６】同実施例の配管接続前のコネクタ本体と付随する各部材の状態を示す２面図（図２、図９および図１３に相当）で、（ａ）はコネクタ本体を示す半載縦断側面図、（ｂ）は組み込まれる細径配管を示す一部切欠き縦断側面図である。
【図１７】同実施例のコネクタ本体の単体を示す２面図（図４に相当）で、（ａ）は半載縦断側面図、（ｂ）はその背面図である。
【図１８】同実施例に組込まれる防塵キャップ単体を示す２面図（図５および図１４に相当）で、（ａ）はその縦断側面図、（ｂ）その背面図である。
【図１９】本発明に係る細径配管接続用コネクタのさらに他の実施例における配管接続状態を示す２面図（図１、図８、図１０、図１２および図１５に相当）で、（ａ）はその縦断側面図、（ｂ）は同図（ａ）におけるＩ−Ｉ線上断面図である。
【図２０】同実施例の配管接続前のコネクタ本体と付随する各部材の状態を示す２面図（図２、図９、図１３および図１６に相当）で、（ａ）はコネクタ本体を示す縦断側面図、（ｂ）は組み込まれる細径配管を示す一部切欠き縦断側面図である。
【図２１】同実施例のコネクタ本体の単体を示す２面図（図４および図１７に相当）で、（ａ）は縦断側面図、（ｂ）はその背面図である。
【図２２】同実施例に組込まれるリテーナ単体を示す３面図で、（ａ）はその縦断側面図、（ｂ）その正面図、（ｃ）はその背面図である。
【図２３】同実施例に組込まれるバックアップスリーブ単体の２面図（図６に相当）で、（ａ）はその縦断側面図、（ｂ）はその背面図である。
【図２４】同実施例に組込まれるリリーサー単体の２面図（図７に相当）で、（ａ）はその縦断側面図、（ｂ）はその正面図である。
【図２５】本発明に係る細径配管接続用コネクタのさらに他の実施例における配管接続状態を示す２面図（図１、図８、図１０、図１２、図１５および図１９に相当）で、（ａ）はその縦断側面図、（ｂ）は同図（ａ）におけるＪ−Ｊ線上断面図である。
【図２６】同実施例の配管接続前のコネクタ本体と付随する各部材の状態を示す２面図（図２、図９、図１３、図１６および図２０に相当）で、（ａ）はコネクタ本体を示す縦断側面図、（ｂ）は組み込まれる細径配管を示す一部切欠き縦断側面図である。
【図２７】同実施例に組込まれるバックアップスリーブ単体の２面図（図６および図２３に相当）で、（ａ）はその縦断側面図、（ｂ）はその背面図である。
【図２８】本発明に係る細径配管接続用コネクタのさらに他の実施例における配管接続状態を示す２面図（図１、図８、図１０、図１２、図１５、図１９および図２５に相当）で、（ａ）はその縦断側面図、（ｂ）は同図（ａ）におけるＫ−Ｋ線上断面図である。
【図２９】同実施例に組込まれるリテーナ単体を示す３面図（図２２に相当）で、（ａ）はその縦断側面図、（ｂ）その正面図、（ｃ）はその背面図である。
【図３０】本発明に係る細径配管接続用コネクタのさらに他の実施例における配管接続状態を示す２面図（図１、図８、図１０、図１２、図１５、図１９、図２５および図２８に相当）で、（ａ）はその縦断側面図、（ｂ）は同図（ａ）におけるＬ−Ｌ線上断面図である。
【図３１】同実施例に組込まれるリテーナ単体を示す３面図（図２２および図２９に相当）で、（ａ）はその縦断側面図、（ｂ）その正面図、（ｃ）はその背面図である。
【図３２】従来例の細径配管接続用コネクタの細径配管接続状態（図１に相当）を示す長手方向半載縦断側面図である。
【図３３】他の従来例における細径配管接続用コネクタの細径配管接続状態（図１に相当）を示す縦断側面図である。
【図３４】上記従来例において接続される細径配管の一分切欠き縦断側面図である。
【図３５】さらに他の従来例における細径配管接続用コネクタの細径配管接続状態（図１に相当）を示す一部切り欠き縦断側面図である。
【符号の説明】
【００７４】
１、１ａ、１ｂ、１ｃ、１ｄ                コネクタ本体
１−１、１ａ−１、１ｃ−１、１ｄ−１      フランジ部
１−２、１ａ−２、１ｃ−２、１ｄ−２      雄ネジ
１−３、１ａ−３                          弾性爪部
１ｂ−３                                  弾性爪壁
１ｃ−３、１ｄ−３                        円筒部
１−４、１ａ−４                          係合壁
１ｂ−４                                  係止壁
１ｃ−４、１ｄ−４                        小径室
１−５、１ａ−５                          切欠き窓
１ｃ−５、１ｄ−５                        大径室
１−６、１ａ−６、１ｃ−６、１ｄ−６      外周係合壁
１−７、１ａ−７                          後方内径部
１ｃ−７                                  カシメ部
１−８、１ａ−８                          凹部
１ｃ−８、１ｄ−８                        円筒部内周面
１−９、１ａ−９                          先端円筒部
１ｃ−９、１ｄ−９                        テーパー壁
１−１０、１ａ−１０                      先端円筒部内周面
１ｃ−１０、１ｄ−１０                    後壁部
１−１１、１ａ−１１                      円筒部
１ｂ−１１                                円筒部
１ｄ−１１                                かしめ部
１ｂ−１２                                ソケット体
１ｂ−１３                                段部
１ｂ−１４                                連結筒壁
１ｂ−１５                                小径室
１ｂ−１６                                大径室
１ｂ−１７                                切欠き部
１ｂ−１８                                流通孔
２、２ａ、２ｂ、２ｃ、２ｄ                シールリング
３、３ｂ、３ｄ、３ｅ、                    バックアップスリーブ
３ａ、３ｃ、３ｆ                          バックアップリング
３−１                                    前方円筒部
３−２                                    先端壁
３−３                                    切欠き部
３−４                                    後側テーパー壁
３−５                                    前側テーパー壁
３−６                                    内壁
４                                        相手部品
４−１                                    第１係合壁
４−２                                    第２係合壁
４−３                                    流路
５、５ａ                                  内装部材兼用防塵キャップ
５−１、５ａ−１                          杷持部
５−２、５ａ−２                          フック
５−３、５ａ−３                          薄肉部
５−４                                    内筒部
５−５                                    内周ガイド部
５−６                                    外壁部
５ａ−６                                  円筒状外壁部
５−７、５ａ−７                          テーパー壁
５−８                                    スリット
５ａ−８                                  浅く刻まれたスリット
５−９、５ａ−９                          後壁部
５ａ−１０                                後方外壁部
５ａ−１１                                内周部
５ａ−１２                                深く刻まれたスリット
５ｂ                                      防塵キャップ
５ｂ−２                                  フック
５ｂ−３                                  薄肉部
５ｂ−６                                  前方円筒状外壁部
５ｂ−７                                  テーパー壁
５ｂ−８                                  浅く刻まれたスリット
５ｂ−９                                  後壁部
５ｂ−１０                                後方円筒状外壁部
５ｂ−１２                                深く刻まれたスリット
６                                        リリーサー
６−１                                    前方円筒部
６−２                                    フランジ部
６−３                                    先端部
６−４                                    ガイド部
７                                        弾性チューブ
８、８ａ、８ｂ                            リテーナ
８−１、８ａ−１、８ｂ−１                円筒部
８−２、８ａ−２、８ｂ−２                爪部
８−３、８ａ−３、８ｂ−３                後壁部
８−４                                    段部
８−５、８ａ−５、８ｂ−５                係合壁
８−６、８ａ−６、８ｂ−６                薄肉部
８−７、８ａ−７、８ｂ−７                スリット
８−８、８ａ−８、８ｂ−８                切込み溝部
８ａ−９                                  金属薄板フランジ部
８ａ−１０                                金属薄板爪部
８−１１、８ａ−１１、８ｂ−１１          テーパー壁
８ｂ−１２                                金属製ワイヤー
Ｐ、Ｐａ、Ｐｂ、Ｐｃ、Ｐｄ                細径配管
Ｐ−１、Ｐａ−１、Ｐｂ−１、Ｐｃ−１      スプール部
Ｐｂ−５                                  後方スプール部
Ｐ−２、Ｐａ−２、Ｐｂ−２、Ｐｃ−２、Ｐｄ−２      前壁部
Ｐ−３、Ｐａ−３、Ｐｂ−３、Ｐｃ−３、Ｐｄ−３      後壁部
Ｐ−４、Ｐａ−４、Ｐｃ−４                小径部
Ｐａ−５                                  後側スプール部
Ｐｃ−５                                  段部
Ｐｄ−６                                  拡管部
Ｐａ−６                                  後側スプール部後壁部
Ｐａ−７                                  バルジ部
Ｐａ−８                                  凹部
【図１】
2007100809.tif 000003
【図２】
2007100809.tif 000004
【図３】
2007100809.tif 000005
【図４】
2007100809.tif 000006
【図５】
2007100809.tif 000007
【図６】
2007100809.tif 000008
【図７】
2007100809.tif 000009
【図８】
2007100809.tif 000010
【図９】
2007100809.tif 000011
【図１０】
2007100809.tif 000012
【図１１】
2007100809.tif 000013
【図１２】
2007100809.tif 000014
【図１３】
2007100809.tif 000015
【図１４】
2007100809.tif 000016
【図１５】
2007100809.tif 000017
【図１６】
2007100809.tif 000018
【図１７】
2007100809.tif 000019
【図１８】
2007100809.tif 000020
【図１９】
2007100809.tif 000021
【図２０】
2007100809.tif 000022
【図２１】
2007100809.tif 000023
【図２２】
2007100809.tif 000024
【図２３】
2007100809.tif 000025
【図２４】
2007100809.tif 000026
【図２５】
2007100809.tif 000027
【図２６】
2007100809.tif 000028
【図２７】
2007100809.tif 000029
【図２８】
2007100809.tif 000030
【図２９】
2007100809.tif 000031
【図３０】
2007100809.tif 000032
【図３１】
2007100809.tif 000033
【図３２】
2007100809.tif 000034
【図３３】
2007100809.tif 000035
【図３４】
2007100809.tif 000036
【図３５】
2007100809.tif 000037